(57)【要約】  ネットワークノード（２８）が、無線インタフェース（３２）を通じて無線端末（３０）と通信する。ネットワークノード（２８）も無線端末（３０）も、マルチ入力マルチ出力（ＭＩＭＯ）能力を有する。ネットワークノード（２８）から無線端末（３０）への高速ダウンリンク共用チャネルの制御シグナリングに含めるＭＩＭＯ関連命令（９０）が生成される。ＭＩＭＯ関連命令（９０）は、無線端末（３０）のＭＩＭＯ能力に照らして、無線端末（３０）と基地局（２８）との間のチャネル品質表示（ＣＱＩ）通信を変更するように構成される。方法は、命令に従って、無線端末（３０）から基地局（２８）へのチャネル品質表示（ＣＱＩ）レポート（９２）の提供をさらに備える。
2011512719.tif 000002
【特許請求の範囲】
【請求項１】
多入力多出力（ＭＩＭＯ）能力を有し無線インタフェース（３２）を介して無線端末（３０）と通信するネットワーク・ノードであって、該ネットワーク・ノード（２８）は、高速ダウンリンク共用チャネルの制御シグナリングに含めるＭＩＭＯ関連命令（９０）を生成するように構成され、該ＭＩＭＯ関連命令（９０）は、前記無線端末（３０）のＭＩＭＯ能力を考慮して該無線端末（３０）と前記ネットワーク・ノード（２８）との間のチャネル品質表示（ＣＱＩ）通信を修正するように構成されることを特徴とするネットワーク・ノード。
【請求項２】
前記無線インタフェース（３２）を介して前記無線端末（３０）にＭＩＭＯ送信または非ＭＩＭＯ送信を必要に応じて提供するように構成されるトランシーバ（３８）と、
高速ダウンリンク共用チャネルの前記無線インタフェース（３２）を介したユーザデータおよび制御シグナリングの送信をスケジュールするように構成される高速ダウンリンク共用チャネル制御装置（４０）と、
前記制御シグナリングに含める前記ＭＩＭＯ関連命令（９０）を生成するように構成される制御信号生成部（５０）と、
を更に含むことを特徴とする請求項１に記載のネットワーク・ノード。
【請求項３】
前記ＭＩＭＯ関連命令（９０）は、前記無線端末（３０）がＭＩＭＯモードで動作していないとき、該無線端末（３０）にＭＩＭＯチャネル品質表示（ＣＱＩ）の提供を要求するように構成されることを特徴とする請求項１又は２に記載のネットワーク・ノード。
【請求項４】
前記ＭＩＭＯ関連命令（９０）は、前記無線端末（３０）がＭＩＭＯモードで動作していないとき、該無線端末（３０）にＭＩＭＯタイプＡまたはＭＩＭＯタイプＢのチャネル品質表示（ＣＱＩ）の提供を要求するように構成されることを特徴とする請求項３に記載のネットワーク・ノード。
【請求項５】
前記ＭＩＭＯ関連命令（９０）は、前記無線端末（３０）がＭＩＭＯモードで動作していないとき、該無線端末（３０）に単一のＭＩＭＯチャネル品質表示（ＣＱＩ）の提供を要求するように構成されることを特徴とする請求項３に記載のネットワーク・ノード。
【請求項６】
前記ＭＩＭＯ関連命令（９０）は、前記無線端末（３０）がＭＩＭＯモードで動作していないとき、該無線端末（３０）に該無線端末が以前にＭＩＭＯモードで動作していたときに提供したパターンと同一の、複数のＭＩＭＯタイプＡ及びＭＩＭＯタイプＢのチャネル品質表示（ＣＱＩ）のパターンの提供を要求するように構成されることを特徴とする請求項３に記載のネットワーク・ノード。
【請求項７】
前記ＭＩＭＯ関連命令（９０）は、前記無線端末（３０）がＭＩＭＯモードで動作していないとき、該無線端末（３０）に複数のＭＩＭＯタイプＡ及びＭＩＭＯタイプＢのチャネル品質表示の特定の比の提供を要求するように構成されることを特徴とする請求項３に記載のネットワーク・ノード。
【請求項８】
前記ＭＩＭＯ関連命令（９０）は、前記無線端末（３０）がＭＩＭＯモードで動作していないとき、複数のＭＩＭＯタイプＡ及びＭＩＭＯタイプＢのチャネル品質表示（ＣＱＩ）のパターンを規定するように構成されることを特徴とする請求項３に記載のネットワーク・ノード。
【請求項９】
前記ＭＩＭＯ関連命令（９０）は、前記無線端末（３０）がＭＩＭＯモードで動作していないとき、該無線端末（３０）に複数の通常チャネル品質表示及び複数のＭＩＭＯチャネル品質表示の混合の提供を要求するように構成されることを特徴とする請求項３に記載のネットワーク・ノード。
【請求項１０】
前記ＭＩＭＯ関連命令（９０）は、前記無線端末（３０）がＭＩＭＯモードで動作していないとき、該無線端末（３０）に非ＭＩＭＯチャネル品質表示（ＣＱＩ）のＭＩＭＯチャネル品質表示（ＣＱＩ）での置換を要求するように構成されることを特徴とする請求項３に記載のネットワーク・ノード。
【請求項１１】
前記ＭＩＭＯ関連命令（９０）は、ＭＩＭＯチャネル品質表示（ＣＱＩ）を決定するときに前記無線端末（３０）により使用される測定電力オフセット値を指定することを特徴とする請求項１又は２に記載のネットワーク・ノード。
【請求項１２】
前記ＭＩＭＯ関連命令（９０）は、
（１）以前の測定電力オフセット値を置換する新規の測定電力オフセット値
（２）高位レイヤでシグナリングされた測定電力オフセット変更の修正に使用される測定電力オフセット変更値
の一方を指定することを特徴とする請求項１１に記載のネットワーク・ノード。
【請求項１３】
無線インタフェース（３２）を介してネットワーク・ノード（２８）と通信する無線端末であって、該無線端末は、
高速ダウンリンク共用チャネルの制御シグナリングに含まれるＭＩＭＯ関連命令（９０）を、前記無線端末（３０）のＭＩＭＯ能力を考慮して該無線端末（３０）と前記ネットワーク・ノード（２８）との間のチャネル品質表示（ＣＱＩ）通信の修正を要求していると解釈するように構成され、
前記ＭＩＭＯ関連命令（９０）に従って、ＭＩＭＯチャネル品質表示（ＣＱＩ）を報告するように構成される
ことを特徴とする無線端末。
【請求項１４】
前記無線インタフェース（３２）を介した前記ネットワーク・ノード（２８）からのＭＩＭＯ受信または非ＭＩＭＯ受信を必要に応じて提供するように構成されるトランシーバ（６８）と、
高速ダウンリンク共用チャネルの制御シグナリングに含まれる前記ＭＩＭＯ関連命令（９０）を解釈するように構成される高速ダウンリンク共用チャネル制御装置（７０）と、
前記ＭＩＭＯ関連命令（９０）に従って、前記ＭＩＭＯチャネル品質表示（ＣＱＩ）を報告するように構成されるチャネル品質表示（ＣＱＩ）報告部（８０）と、
を更に含むことを特徴とする請求項１３に記載の無線端末。
【請求項１５】
前記無線端末（３０）の前記高速ダウンリンク共用チャネル制御装置（７０）は、前記無線端末（３０）がＭＩＭＯモードで動作していないとき、前記ＭＩＭＯ関連命令（９０）を、該無線端末（３０）にＭＩＭＯチャネル品質表示（ＣＱＩ）の提供を要求していると解釈するように構成され、前記チャネル品質表示（ＣＱＩ）報告部は、前記無線端末（３０）がＭＩＭＯモードで動作していないとき、それに応じて、ＭＩＭＯチャネル品質表示（ＣＱＩ）を提供するように構成されることを特徴とする請求項１３に記載の無線端末。
【請求項１６】
前記無線端末（３０）の前記高速ダウンリンク共用チャネル制御装置（７０）は、前記無線端末（３０）で前記ＭＩＭＯ関連命令（９０）が受信されたとき、前記無線端末（３０）がチャネル品質表示（ＣＱＩ）にどのＣＱＩフォーマットを使用しているかを検出することなく前記無線端末（３０）から受信した前記チャネル品質表示（ＣＱＩ）を前記ネットワーク・ノード（２８）が自動的に処理可能にするように構成される肯定応答信号を前記ネットワーク・ノード（２８）に提供するように更に構成されることを特徴とする請求項１５に記載の無線端末。
【請求項１７】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）にＭＩＭＯタイプＡまたはＭＩＭＯタイプＢのチャネル品質表示（ＣＱＩ）の提供を要求していると解釈するように構成され、前記チャネル品質表示（ＣＱＩ）報告部は、前記無線端末（３０）がＭＩＭＯモードで動作していないとき、それに応じて、ＭＩＭＯタイプＡまたはＭＩＭＯタイプＢの何れかのチャネル品質表示（ＣＱＩ）を提供するように構成されることを特徴とする請求項１５に記載の無線端末。
【請求項１８】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に単一のＭＩＭＯチャネル品質表示（ＣＱＩ）の提供を要求していると解釈するように構成され、前記チャネル品質表示（ＣＱＩ）報告部は、前記無線端末（３０）がＭＩＭＯモードで動作していないとき、それに応じて、単一のＭＩＭＯチャネル品質表示（ＣＱＩ）を提供するように構成されることを特徴とする請求項１５に記載の無線端末。
【請求項１９】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に該無線端末が以前にＭＩＭＯモードで動作していたときに提供したパターンと同一の、複数のＭＩＭＯタイプＡ及びＭＩＭＯタイプＢのチャネル品質表示（ＣＱＩ）のパターンの提供を要求していると解釈するように構成され、前記チャネル品質表示（ＣＱＩ）報告部は、前記無線端末（３０）がＭＩＭＯモードで動作していないとき、それに応じて、複数のＭＩＭＯタイプＡ及びＭＩＭＯタイプＢのチャネル品質表示（ＣＱＩ）の同一のパターンを提供するように構成されることを特徴とする請求項１５に記載の無線端末。
【請求項２０】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に複数のＭＩＭＯタイプＡ及びＭＩＭＯタイプＢのチャネル品質表示の特定の比の提供を要求していると解釈するように構成されることを特徴とする請求項１５に記載の無線端末。
【請求項２１】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に複数のＭＩＭＯタイプＡ及びＭＩＭＯタイプＢのチャネル品質表示（ＣＱＩ）の規定のパターンの提供を要求していると解釈するように構成され、前記チャネル品質表示（ＣＱＩ）報告部は、前記無線端末（３０）がＭＩＭＯモードで動作していないとき、それに応じて、複数のＭＩＭＯタイプＡ及びＭＩＭＯタイプＢのチャネル品質表示（ＣＱＩ）の規定のパターンを提供するように構成されることを特徴とする請求項１５に記載の無線端末。
【請求項２２】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に複数の通常チャネル品質表示及び複数のＭＩＭＯチャネル品質表示の混合の提供を要求していると解釈するように構成されることを特徴とする請求項１５に記載の無線端末。
【請求項２３】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に非ＭＩＭＯチャネル品質表示（ＣＱＩ）のＭＩＭＯチャネル品質表示（ＣＱＩ）での置換を要求していると解釈するように構成され、前記チャネル品質表示（ＣＱＩ）報告部は、前記無線端末（３０）がＭＩＭＯモードで動作していないとき、それに応じて、非ＭＩＭＯチャネル品質表示（ＣＱＩ）をＭＩＭＯチャネル品質表示（ＣＱＩ）で置換するように構成されることを特徴とする請求項１５に記載の無線端末。
【請求項２４】
前記無線端末の前記高速ダウンリンク共用チャネル制御装置（７０）は、前記ＭＩＭＯ関連命令（９０）を、ＭＩＭＯチャネル品質表示（ＣＱＩ）を決定するときに前記無線端末（３０）により使用される測定電力オフセット値の包含を要求していると解釈するように構成され、前記チャネル品質表示（ＣＱＩ）報告部は、それに応じて、ＭＩＭＯチャネル品質表示（ＣＱＩ）を決定するときに前記無線端末（３０）により使用される前記測定電力オフセット値を使用するように構成されることを特徴とする請求項１４に記載の無線端末。
【請求項２５】
前記無線端末の前記高速ダウンリンク共用チャネル制御装置（７０）は、前記ＭＩＭＯ関連命令（９０）を、
（１）以前の測定電力オフセット値を置換する新規の測定電力オフセット値
（２）高位レイヤでシグナリングされた測定電力オフセット変更の修正に使用される測定電力オフセット変更値
の一方を指定していると解釈するように構成されることを特徴とする請求項２４に記載の無線端末。
【請求項２６】
無線インタフェース（３２）を介して無線端末と通信するネットワーク・ノード（２８）を含む通信ネットワークで使用される方法であって、該ネットワーク・ノード（２８）および該無線端末（３０）の双方は、多入力多出力（ＭＩＭＯ）能力を有し、該方法は、
前記ネットワーク・ノード（２８）から前記無線端末（３０）への高速ダウンリンク共用チャネルの制御シグナリングに含めるＭＩＭＯ関連命令（９０）を生成するステップであって、該ＭＩＭＯ関連命令（９０）は、前記無線端末（３０）のＭＩＭＯ能力を考慮して該無線端末（３０）と前記ネットワーク・ノード（２８）との間のチャネル品質表示（ＣＱＩ）通信を修正するように構成される、生成するステップと、
前記命令に従って、前記無線端末（３０）から前記ネットワーク・ノード（２８）へチャネル品質表示（ＣＱＩ）レポートを提供するステップと、
を含むことを特徴とする方法。
【請求項２７】
無線インタフェース（３２）を介して無線端末と通信するネットワーク・ノード（２８）を動作させる方法であって、該ネットワーク・ノード（２８）および該無線端末（３０）の双方は、多入力多出力（ＭＩＭＯ）能力を有し、該方法は、
前記ネットワーク・ノード（２８）から前記無線端末（３０）への高速ダウンリンク共用チャネルの制御シグナリングに含めるＭＩＭＯ関連命令（９０）を生成するステップであって、該ＭＩＭＯ関連命令（９０）は、前記無線端末（３０）のＭＩＭＯ能力を考慮して該無線端末（３０）と前記ネットワーク・ノード（２８）との間のチャネル品質表示（ＣＱＩ）通信を修正するように構成される、生成するステップと、
前記ＭＩＭＯ関連命令（９０）を前記無線インタフェース（３２）を介して前記無線端末に送信するステップと、
を含むことを特徴とする方法。
【請求項２８】
無線インタフェース（３２）を介してネットワーク・ノード（２８）と通信する無線端末（３２）を動作させる方法であって、該ネットワーク・ノード（２８）および該無線端末（３０）の双方は、多入力多出力（ＭＩＭＯ）能力を有し、該方法は、
前記ネットワーク・ノード（２８）からの高速ダウンリンク共用チャネルの制御シグナリングに含まれるＭＩＭＯ関連命令（９０）を受信し、該ＭＩＭＯ関連命令（９０）を、前記無線端末（３０）のＭＩＭＯ能力を考慮して該無線端末（３０）と前記ネットワーク・ノード（２８）との間のチャネル品質表示（ＣＱＩ）通信を修正するように構成されていると解釈するステップと、
前記命令に従って、前記無線端末（３０）から前記ネットワーク・ノード（２８）へチャネル品質表示（ＣＱＩ）レポートを提供するステップと、
を含むことを特徴とする方法。
【請求項２９】
前記ＭＩＭＯ関連命令（９０）は、前記無線端末（３０）がＭＩＭＯモードで動作していないとき、該無線端末（３０）にＭＩＭＯチャネル品質表示（ＣＱＩ）の提供を要求することを特徴とする請求項２６乃至２８の何れか一項に記載の方法。
【請求項３０】
前記無線端末（３０）が、前記ＭＩＭＯ関連命令（９０）に対する肯定応答信号を前記ネットワーク・ノード（２８）に送信するステップと、
前記ネットワーク・ノード（２８）が、前記無線端末（３０）がチャネル品質表示（ＣＱＩ）にどのＣＱＩフォーマットを使用しているかを検出することなく前記無線端末（３０）から受信した前記チャネル品質表示（ＣＱＩ）を自動的に処理するステップと、
を更に含むことを特徴とする請求項２９に記載の方法。
【請求項３１】
前記ＭＩＭＯ関連命令（９０）は、前記無線端末（３０）がＭＩＭＯモードで動作していないとき、該無線端末（３０）にＭＩＭＯタイプＡまたはＭＩＭＯタイプＢのチャネル品質表示（ＣＱＩ）の提供を要求するように構成されることを特徴とする請求項２９に記載の方法。
【請求項３２】
前記ＭＩＭＯ関連命令（９０）は、前記無線端末（３０）がＭＩＭＯモードで動作していないとき、該無線端末（３０）に単一のＭＩＭＯチャネル品質表示（ＣＱＩ）の提供を要求するように構成されることを特徴とする請求項２９に記載の方法。
【請求項３３】
前記ＭＩＭＯ関連命令（９０）は、前記無線端末（３０）がＭＩＭＯモードで動作していないとき、該無線端末（３０）に該無線端末が以前にＭＩＭＯモードで動作していたときに提供したパターンと同一の、複数のＭＩＭＯタイプＡ及びＭＩＭＯタイプＢのチャネル品質表示（ＣＱＩ）のパターンの提供を要求するように構成されることを特徴とする請求項２９に記載の方法。
【請求項３４】
前記ＭＩＭＯ関連命令（９０）は、前記無線端末（３０）がＭＩＭＯモードで動作していないとき、該無線端末（３０）に複数のＭＩＭＯタイプＡ及びＭＩＭＯタイプＢのチャネル品質表示の特定の比の提供を要求するように構成されることを特徴とする請求項２９に記載の方法。
【請求項３５】
前記ＭＩＭＯ関連命令（９０）は、前記無線端末（３０）がＭＩＭＯモードで動作していないとき、複数のＭＩＭＯタイプＡ及びＭＩＭＯタイプＢのチャネル品質表示（ＣＱＩ）のパターンを規定するように構成されることを特徴とする請求項２９に記載の方法。
【請求項３６】
前記ＭＩＭＯ関連命令（９０）は、前記無線端末（３０）がＭＩＭＯモードで動作していないとき、該無線端末（３０）に複数の通常チャネル品質表示及び複数のＭＩＭＯチャネル品質表示の混合の提供を要求するように構成されることを特徴とする請求項２９に記載の方法。
【請求項３７】
前記ＭＩＭＯ関連命令（９０）は、前記無線端末（３０）がＭＩＭＯモードで動作していないとき、該無線端末（３０）に非ＭＩＭＯチャネル品質表示（ＣＱＩ）のＭＩＭＯチャネル品質表示（ＣＱＩ）での置換を要求するように構成されることを特徴とする請求項２９に記載の方法。
【請求項３８】
前記ＭＩＭＯ関連命令（９０）は、ＭＩＭＯチャネル品質表示（ＣＱＩ）を決定するときに前記無線端末（３０）により使用される測定電力オフセット値を指定するように構成されることを特徴とする請求項２６乃至２８の何れか一項に記載の方法。
【請求項３９】
前記ＭＩＭＯ関連命令（９０）は、
（１）以前の測定電力オフセット値を置換する新規の測定電力オフセット値
（２）高位レイヤでシグナリングされた測定電力オフセット変更の修正に使用される測定電力オフセット変更値
の一方を指定するように構成されることを特徴とする請求項３８に記載の方法。
【発明の詳細な説明】
【技術分野】
【０００１】
本発明は、電気通信に関し、特に、無線端末が単一アンテナモードで動作すべきか、それとも複数アンテナ（例えば、多入力多出力（ＭＩＭＯ））モードで動作すべきかにかかわる無線通信に関するものである。
【背景技術】
【０００２】
典型的なセルラ無線システムでは、無線端末（移動機および／またはユーザ装置ユニット（ＵＥ）としても知られている）が、無線アクセスネットワーク（ＲＡＮ）を介して１つ以上のコアネットワークと通信する。無線端末は、移動電話機（「セルラ」電話機）および無線能力を有するラップトップコンピュータ（例えば、移動端末）などの、移動機またはユーザ装置ユニット（ＵＥ）でもよく、それ故、例えばポータブル、ポケット、ハンドヘルド、コンピュータ内蔵、または車載の、無線アクセスネットワークと音声および／またはデータを通信する移動デバイスでもよい。
【０００３】
無線アクセスネットワーク（ＲＡＮ）は、セルエリアに分割された地理的エリアをカバーし、各セルエリアは、例えば無線基地局（ＲＢＳ）などの基地局からサービスを提供されている。基地局は、ネットワークによっては、「ノードＢ」または「Ｂノード」とも呼ばれる。セルは、基地局サイトの無線基地局装置が無線カバレッジを提供する地理的エリアである。各セルは、セルの中でブロードキャストされる、ローカル無線エリア内のアイデンティティで識別される。基地局は、基地局の範囲内のユーザ装置ユニット（ＵＥ）と、無線周波数で動作するエアインタフェースを通じて通信する。
【０００４】
無線アクセスネットワークの一部のモデル(version)では、通常いくつかの基地局が、無線ネットワーク制御装置（ＲＮＣ）に（例えば、地上通信線またはマイクロ波で）接続されている。無線ネットワーク制御装置は、ときには基地局制御装置（ＢＳＣ）とも呼ばれ、それに接続された複数の基地局の種々の動作を管理調整する。無線ネットワーク制御装置は、通常１つ以上のコアネットワークに接続されている。
【０００５】
ＵＭＴＳ（Universal Mobile Telecommunications System）は、ＧＳＭ（Global System for Mobile Communications）から進化した第３世代移動通信システムであり、広帯域符号分割多元接続（ＷＣＤＭＡ）技術に基づく、改善した移動通信サービスを提供することを意図している。ＵＴＲＡＮは、ＵＭＴＳ地上無線アクセスネットワーク（UMTS Terrestrial Radio Access Network）の短縮形であり、ＵＭＴＳ無線アクセスネットワークを構成するノードＢおよび無線ネットワーク制御装置の総称である。それ故、ＵＴＲＡＮは、本質的に、ユーザ装置ユニット（ＵＥ）に対して広帯域符号分割多元接続を使用する無線アクセスネットワークである。
【０００６】
第３世代パートナーシッププロジェクト（３ＧＰＰ）として知られるフォーラムにおいて、通信サプライヤが、第３世代ネットワーク、特にＵＴＲＡＮに関する標準を提案かつ合意し、データレートおよび無線容量の向上に向けて研究している。第３世代パートナーシッププロジェクト（３ＧＰＰ）は、ＵＴＲＡＮおよびＧＳＭベースの無線アクセスネットワーク技術のさらなる進化に取り組んでいる。フォーラムの作業の一成果は、ダウンリンク用の高速ダウンリンクパケットアクセス（ＨＳＤＰＡ）であり、３ＧＰＰのＷＣＤＭＡ仕様リリース５で採用されている。高速ダウンリンクパケットアクセス（ＨＳＤＰＡ）に続いて、３ＧＰＰのＷＣＤＭＡ仕様リリース６において、アップリンクに拡張個別チャネル（Ｅ−ＤＣＨ）を有する高速アップリンクパケットアクセス（ＨＳＵＰＡ）が採用された。
【０００７】
高速ダウンリンクパケットアクセス（ＨＳＤＰＡ）では、例えば無線リソース調整管理業務の一部を無線ネットワーク制御装置（ＲＮＣ）から基地局（ＲＢＳ）に移行することによって、より速いデータ速度を達成している。それらの業務には、共用チャネル送信、高次変調、リンクアダプテーション、無線チャネル依存スケジューリング、およびソフト合成ハイブリッドＡＲＱの１つ以上を含む。
【０００８】
移行した業務の１番目、すなわち共用チャネル送信に合わせて、ＨＳＤＰＡは、エアインタフェースを通じた移動端末への多重時間間隔（送信時間間隔（ＴＴＩ）と呼ばれる）での高速ダウンリンク共用チャネル（ＨＳ−ＤＳＣＨ）送信のために、ユーザ情報を多重化する。ＨＳ−ＤＳＣＨ送信を可能にするために、ＨＳＤＰＡとともに３つの新しい物理チャネルが採用された。これら３つの中の高速共用制御チャネル（ＨＳ−ＳＣＣＨ）は、ＨＳＤＰＡデータが移動デバイスにいつスケジュールされているか、それをどのように受信し、どのように復号したらよいかを（例えば、ＨＳ−ＳＣＣＨは、無線端末が正しい時間に正しいコードを使用してＨＳ−ＤＳＣＨをリッスンするのを可能にするタイミングおよびコーディング情報を提供する）、移動デバイスに通知するダウンリンク制御チャネルである。高速個別物理制御チャネル（ＨＳ−ＤＰＣＣＨ）は、移動デバイスがダウンリンクチャネル品質報告および再送信要求のために使用するアップリンク制御チャネルである。高速物理ダウンリンク共用チャネル（ＨＳ−ＰＤＳＣＨ）は、ＨＳ−ＤＳＣＨユーザデータを伝えるダウンリンク物理チャネルである。各送信に対して、いくつかのＨＳ−ＰＤＳＣＨが移動デバイスに割り当てられる。各ＨＳ−ＰＤＳＣＨは、異なる直交可変拡散ファクタ（ＯＶＳＦ）チャネル化コードを有する。
【０００９】
多入力多出力（ＭＩＭＯ）伝送スキームが、スペクトラム効率を向上するために利用されてもよい。ＭＩＭＯスキームでは、送信部も受信部も複数のアンテナを装備しており、複数の変調および事前符号化信号を同じ「タイム・コードリソース」で伝送し得ると想定している。
【００１０】
進化型ＨＳＰＡ（ＨＳＰＡエボリューションとしても知られている）は、３ＧＰＰリリース７に規定された無線ブロードバンド規格である。ＨＳＰＡ＋は、ＭＩＭＯ技術および高次変調を用いて、ダウンリンクで最高２８Ｍｂｉｔ／ｓおよびアップリンクで最高１１Ｍｂｉｔ／ｓまでのＨＳＰＡデータレートを提供する。ＨＳＰＡ＋は、ノードＢの２つの送信アンテナから無線端末の２つの受信アンテナへの直交（パラレル）データストリームの送信に使用する２×２ダウンリンクＭＩＭＯをサポートする。受信部および送信部において２つのアンテナならびに追加の信号処理を使用して、ＭＩＭＯは、追加のノードＢ電力または帯域幅を使用することなしに、システム容量を増加し、ユーザデータレートを２倍にし得る。
【００１１】
前述のことが明らかにする事実は、無線端末によっては、ＭＩＭＯモード（例えば基地局からの２つ以上のストリーム／チャネルの伝送などがかかわる）でも、非ＭＩＭＯモード（基地局からの１つのストリーム／チャネルの伝送がかかわる）でも動作し得ることである。
【００１２】
高速ダウンリンクパケットアクセス（ＨＳＤＰＡ）におけるＭＩＭＯモード動作の１つの欠点は、関連する制御シグナリングに持ち込まれる余分のオーバヘッドである。例えば、ＭＩＭＯダウンリンク（ＤＬ）制御チャネルすなわち高速共用制御チャネル（ＨＳ−ＳＣＣＨ）は、非ＭＩＭＯのＨＳ−ＳＣＣＨより２デシベル（２ｄＢ）大きい送信電力を必要とすることがある。余分の２デシベル程度の電力の要求は、ＭＩＭＯモードのユーザにより多くの情報が送信される必要があることから、例えば最大２トランスポートブロックまでのプリコーダ重みおよび変調情報が伝達されなければならないなどから生じる。同様にＭＩＭＯモードでは、ＭＩＭＯユーザに対するアップリンク（ＵＬ）オーバヘッドが増加する。２つのストリームに対するチャネル品質インジケータ（ＣＱＩ）およびハイブリッド自動再送要求（ＨＡＲＱ）のＡＣＫ／ＮＡＣＫ情報が、基地局にフィードバックされなければならないからである。
【００１３】
上述のような理由から、二重ストリーム伝送（例えば、無線端末による複数のアンテナの使用）の実現性または必要性が十分に高いときだけ、無線端末をＭＩＭＯモードで動作させるのが望ましい。例えば無線端末が、しばらくの間１つのストリームだけをサポートし得ると報告した場合、ＭＩＭＯ伝送に必要なオーバヘッドに見合う性能向上効果を生じないので、そのように報告した無線端末に対してＭＩＭＯモード伝送を止めるのが望ましい。他方、非ＭＩＭＯモードで動作しているＭＩＭＯ対応無線端末に関しては、状態がＭＩＭＯ伝送に有利である場合に、現在のところ、その無線端末をＭＩＭＯモードに切り替える良いやり方がない。
【００１４】
無線ネットワーク制御装置（ＲＮＣ）が、無線端末をＭＩＭＯモードと非ＭＩＭＯモードとの間で切り替える決定をする。無線端末が動作すべきモードが高位レイヤを通じて無線端末に送信され、その結果、モード切り替えが非常にゆっくり行われる。残念なことに、従来の実践では、無線ネットワーク制御装置（ＲＮＣ）は、各端末がどんな品質に遭遇しているかを知らない。
【００１５】
無線端末は、種々の測定を行い、特定のチャネル品質インジケータ（ＣＱＩ）レポートを基地局に報告する。無線端末から基地局が受信したチャネル品質インジケータ（ＣＱＩ）レポートは、基地局スケジューラが使用して、無線端末への現在の送信を実際のチャネル状態に適合させてもよい。参照によって本願明細書に引用したものとするＷＣＤＭＡ仕様の現行バージョン（リリース７）では、異なる動作モードをサポートするために、いくつかの異なるバージョンのＣＱＩが存在する。例えば、「通常」のＣＱＩが、多入力多出力（ＭＩＭＯ）モードに設定されていない無線端末に対して使用されるのに対して、タイプＡまたはタイプＢのＣＱＩレポートが、ＭＩＭＯモードで動作しているＭＩＭＯ対応ＵＥ端末、すなわち複数のアンテナを使用して複数の伝送ストリームを受信できるＵＥ端末に対して使用される。
【００１６】
通常のＣＱＩは、５ビットから成り、無線端末における１０％ブロック誤り率（ＢＬＥＲ）に相当する受信信号対雑音比（ＳＮＲ）を表示する役割をする。ＭＩＭＯ対応無線端末に関しては、タイプＡおよびタイプＢのＣＱＩは、量子化信号対雑音比（ＳＮＲ）値に加えて、好ましいプリコーダ重みも含む。ＭＩＭＯ対応無線端末がＭＩＭＯモードに設定されていないときは、通常のＣＱＩレポートが使用される。
【００１７】
上述のように、状態がＭＩＭＯ伝送に有利である場合に、その時点で非ＭＩＭＯモードのＭＩＭＯ対応無線端末をＭＩＭＯモードに切り替える良いやり方が現在のところない。１つのやり方は、その無線端末の非ＭＩＭＯ  ＣＱＩをモニタし、十分に高いＳＮＲが報告されたとき、その無線端末でＭＩＭＯモードを開始させることかもしれない。しかし、このやり方の問題は、通常のＣＱＩがアンテナ関連の情報を少しも持たないことである。その結果として、ＣＱＩで報告されたＳＮＲが高かったとしても、２つのチャネルに十分な相関がある場合、ＭＩＭＯ伝送には適切でないであろう。
【発明の概要】
【発明が解決しようとする課題】
【００１８】
その態様の中の一態様に基づく本明細書に開示の技術は、無線インタフェースを通じて無線端末と通信する基地局を備える通信ネットワークで用いる方法に関する。基地局も無線端末も、多入力多出力（ＭＩＭＯ）能力を有する。方法は、基地局から無線端末への高速ダウンリンク共用チャネルの制御シグナリングに含めるＭＩＭＯ関連命令を生成する工程を備え、ＭＩＭＯ関連命令は、無線端末のＭＩＭＯ能力に照らして、無線端末と基地局との間のチャネル品質表示（ＣＱＩ）通信を変更するように構成される。方法は、命令に従って、無線端末から基地局へチャネル品質表示（ＣＱＩ）レポートを提供する工程をさらに備える。
【００１９】
いくつかの実施形態例では、方法は、そのＭＩＭＯ関連命令を、無線端末がＭＩＭＯモードで動作していないとき、無線端末にＭＩＭＯチャネル品質表示（ＣＱＩ）の提供を要求するように構成する工程をさらに備える。命令に応えて、無線端末は、自端末がＭＩＭＯモードで動作していないとき、ＭＩＭＯチャネル品質表示（ＣＱＩ）を提供する。
【００２０】
一実施形態例では、方法は、そのＭＩＭＯ関連命令を、無線端末がＭＩＭＯモードで動作していないとき、無線端末にＭＩＭＯタイプＡまたはＭＩＭＯタイプＢのチャネル品質表示（ＣＱＩ）の提供を要求するように構成する工程をさらに備える。命令に応えて、無線端末は、自端末がＭＩＭＯモードで動作していないとき、ＭＩＭＯタイプＡまたはＭＩＭＯタイプＢのチャネル品質表示（ＣＱＩ）を提供する。
【００２１】
一実施形態例では、方法は、そのＭＩＭＯ関連命令を、無線端末がＭＩＭＯモードで動作していないとき、無線端末に単一のＭＩＭＯチャネル品質表示（ＣＱＩ）の提供を要求するように構成する工程をさらに備える。命令に応えて、無線端末は、自端末がＭＩＭＯモードで動作していないとき、単一のＭＩＭＯチャネル品質表示（ＣＱＩ）を提供する。
【００２２】
一実施形態例では、方法は、そのＭＩＭＯ関連命令を、無線端末がＭＩＭＯモードで動作していないとき、以前無線端末がＭＩＭＯモードで動作していたときに提供したのと同じパターンのＭＩＭＯタイプＡとＭＩＭＯタイプＢのチャネル品質表示（ＣＱＩ）の提供を無線端末に要求するように構成する工程をさらに備える。命令に応えて、無線端末は、以前自端末がＭＩＭＯモードで動作していたときに提供したのと同じパターンのＭＩＭＯタイプＡとＭＩＭＯタイプＢのチャネル品質表示（ＣＱＩ）を提供する。
【００２３】
一実施形態例では、方法は、そのＭＩＭＯ関連命令を、無線端末がＭＩＭＯモードで動作していないとき、あるパターンのＭＩＭＯタイプＡとＭＩＭＯタイプＢのチャネル品質表示（ＣＱＩ）を指示するように構成する工程を備える。それに応えて、無線端末は、命令に従って自端末から移動機へ、そのパターンのＭＩＭＯタイプＡとＭＩＭＯタイプＢのチャネル品質表示（ＣＱＩ）を提供する。
【００２４】
一実施例では、指示されたパターンのＭＩＭＯタイプＡとＭＩＭＯタイプＢのチャネル品質表示（ＣＱＩ）が、以前無線端末がＭＩＭＯモードで動作していたときに提供した前のパターンのＭＩＭＯタイプＡとＭＩＭＯタイプＢのチャネル品質表示（ＣＱＩ）とは異なる。
【００２５】
一実施形態例では、方法は、そのＭＩＭＯ関連命令を、無線端末がＭＩＭＯモードで動作していないとき、無線端末に非ＭＩＭＯチャネル品質表示（ＣＱＩ）のＭＩＭＯチャネル品質表示（ＣＱＩ）での置換を要求するように構成する工程をさらに備える。命令に従って、無線端末は、自端末がＭＩＭＯモードで動作していないとき、非ＭＩＭＯチャネル品質表示（ＣＱＩ）をＭＩＭＯチャネル品質表示（ＣＱＩ）で置換する。
【００２６】
別の実施形態例では、方法は、そのＭＩＭＯ関連命令で、無線端末がＭＩＭＯチャネル品質表示（ＣＱＩ）を測定するときに使用すべき測定電力オフセット値を指定する工程をさらに備える。方法は、命令に従って、その測定電力オフセット値を使用してＭＩＭＯチャネル品質表示（ＣＱＩ）を測定し、それを無線端末から送信する工程をさらに備える。
【００２７】
その態様の中の別の態様では、本明細書に開示の技術が、無線インタフェースを通じて多入力多出力（ＭＩＭＯ）能力を有する無線端末と通信する基地局に関する。基地局は、トランシーバ、高速ダウンリンク共用チャネル制御装置、および制御信号生成部を備える。トランシーバは、無線インタフェースを通じて無線端末に、必要に応じてＭＩＭＯ伝送または非ＭＩＭＯ伝送を提供するように構成される。高速ダウンリンク共用チャネル制御装置は、高速ダウンリンク共用チャネルの無線インタフェースを通じたユーザデータおよび制御シグナリングの送信をスケジュールするように構成される。制御信号生成部は、高速ダウンリンク共用チャネルの制御シグナリングに含めるＭＩＭＯ関連命令を生成するように構成される。ＭＩＭＯ関連命令は、無線端末のＭＩＭＯ能力に照らして、無線端末と基地局との間のチャネル品質表示（ＣＱＩ）通信を変更するように構成される。
【００２８】
基地局のいくつかの実施形態例では、ＭＩＭＯ関連命令は、無線端末がＭＩＭＯモードで動作していないとき、無線端末にＭＩＭＯチャネル品質表示（ＣＱＩ）の提供を要求するように構成される。
【００２９】
一実施形態例では、基地局がアップリンク信号プロセッサをさらに備え、このプロセッサは、ＭＩＭＯ関連命令に対する確認応答受信後、受信したチャネル品質表示（ＣＱＩ）がＭＩＭＯチャネル品質表示（ＣＱＩ）であるか否かを判定する必要なしに、無線端末から受信したチャネル品質表示（ＣＱＩ）をＭＩＭＯチャネル品質表示（ＣＱＩ）として自動的に処理する。
【００３０】
一実施形態例では、ＭＩＭＯ関連命令は、無線端末がＭＩＭＯモードで動作していないとき、無線端末にＭＩＭＯタイプＡまたはＭＩＭＯタイプＢのチャネル品質表示（ＣＱＩ）の提供を要求するように、制御信号生成部によって構成される。
【００３１】
一実施形態例では、ＭＩＭＯ関連命令は、無線端末がＭＩＭＯモードで動作していないとき、無線端末に単一のＭＩＭＯチャネル品質表示（ＣＱＩ）の提供を要求するように、制御信号生成部によって構成される。
【００３２】
一実施形態例では、ＭＩＭＯ関連命令は、無線端末がＭＩＭＯモードで動作していないとき、無線端末に以前無線端末がＭＩＭＯモードで動作していたときに提供したのと同じパターンのＭＩＭＯタイプＡとＭＩＭＯタイプＢのチャネル品質表示（ＣＱＩ）の提供を要求するように、制御信号生成部によって構成される。
【００３３】
一実施形態例では、ＭＩＭＯ関連命令は、無線端末がＭＩＭＯモードで動作していないとき、あるパターンのＭＩＭＯタイプＡとＭＩＭＯタイプＢのチャネル品質表示（ＣＱＩ）を指示するように、制御信号生成部によって構成される。一実施形態例では、指示されたパターンのＭＩＭＯタイプＡとＭＩＭＯタイプＢのチャネル品質表示（ＣＱＩ）は、以前無線端末がＭＩＭＯモードで動作していたときに提供した前のパターンのＭＩＭＯタイプＡとＭＩＭＯタイプＢのチャネル品質表示（ＣＱＩ）とは異なる。
【００３４】
一実施形態例では、ＭＩＭＯ関連命令は、無線端末がＭＩＭＯモードで動作していないとき、無線端末に非ＭＩＭＯチャネル品質表示（ＣＱＩ）のＭＩＭＯチャネル品質表示（ＣＱＩ）での置換を要求するように、制御信号生成部によって構成される。
【００３５】
一実施形態例では、ＭＩＭＯ関連命令は、無線端末がＭＩＭＯチャネル品質表示（ＣＱＩ）を測定するときに使用すべき測定電力オフセット値を指定するように、制御信号生成部によって構成される。
【００３６】
一実施形態例では、方法は、無線端末が基地局にＭＩＭＯ関連命令の確認応答を送信する工程をさらに備える。その後、基地局は、受信したチャネル品質表示（ＣＱＩ）がＭＩＭＯチャネル品質表示（ＣＱＩ）であるか否かを判定する必要なしに、無線端末から受信したチャネル品質表示（ＣＱＩ）をＭＩＭＯチャネル品質表示（ＣＱＩ）として自動的に処理する。
【００３７】
その態様の中の別の態様では、本明細書で開示される技術が、無線インタフェースを通じて基地局と通信する無線端末に関する。無線端末は、トランシーバ、高速ダウンリンク共用チャネル制御装置、およびチャネル品質表示（ＣＱＩ）報告部を備える。トランシーバは、無線インタフェースを通じた基地局へのＭＩＭＯ伝送かまたは非ＭＩＭＯ伝送を必要に応じて提供するように構成される。高速ダウンリンク共用チャネル制御装置は、高速ダウンリンク共用チャネルの制御シグナリングに含まれるＭＩＭＯ関連命令を、無線端末のＭＩＭＯ能力に照らして、無線端末と基地局との間のチャネル品質表示（ＣＱＩ）通信の変更を要求していると解釈するように構成される。チャネル品質表示（ＣＱＩ）報告部は、ＭＩＭＯ関連命令に従って、ＭＩＭＯチャネル品質表示（ＣＱＩ）を報告するように構成される。
【００３８】
いくつかの実施形態例では、無線端末の高速ダウンリンク共用チャネル制御装置は、ＭＩＭＯ関連命令を、無線端末がＭＩＭＯモードで動作していないとき、無線端末にＭＩＭＯチャネル品質表示（ＣＱＩ）の提供を要求していると解釈するように構成される。チャネル品質表示（ＣＱＩ）報告部は、それに応じて、無線端末がＭＩＭＯモードで動作していないとき、ＭＩＭＯチャネル品質表示（ＣＱＩ）を提供するように構成される。
【００３９】
一実施例では、無線端末の高速ダウンリンク共用チャネル制御装置は、無線端末でのＭＩＭＯ関連命令の受信時に、基地局が受信するチャネル品質表示（ＣＱＩ）がＭＩＭＯチャネル品質表示（ＣＱＩ）であるか否かを判定する必要なしに、無線端末から受信したチャネル品質表示（ＣＱＩ）をＭＩＭＯチャネル品質表示（ＣＱＩ）として自動的に処理可能にするように構成された肯定応答信号を基地局に提供するようにさらに構成される。
【００４０】
一実施形態例では、無線端末の高速ダウンリンク共用チャネル制御装置は、ＭＩＭＯ関連命令を、無線端末がＭＩＭＯモードで動作していないとき、無線端末に単一のＭＩＭＯチャネル品質表示（ＣＱＩ）の提供を要求していると解釈するように構成される。チャネル品質表示（ＣＱＩ）報告部は、それに応じて、無線端末がＭＩＭＯモードで動作していないとき、単一のＭＩＭＯチャネル品質表示（ＣＱＩ）を提供するように構成される。
【００４１】
一実施形態例では、無線端末の高速ダウンリンク共用チャネル制御装置は、ＭＩＭＯ関連命令を、無線端末がＭＩＭＯモードで動作していないとき、無線端末に以前無線端末がＭＩＭＯモードで動作していたときに提供したのと同じパターンのＭＩＭＯタイプＡとＭＩＭＯタイプＢのチャネル品質表示（ＣＱＩ）の提供を要求していると解釈するように構成される。チャネル品質表示（ＣＱＩ）報告部は、それに応じて、無線端末がＭＩＭＯモードで動作していないとき、同じパターンのＭＩＭＯタイプＡとＭＩＭＯタイプＢのチャネル品質表示（ＣＱＩ）を提供するように構成される。
【００４２】
一実施形態例では、無線端末の高速ダウンリンク共用チャネル制御装置は、ＭＩＭＯ関連命令を、無線端末がＭＩＭＯモードで動作していないとき、無線端末に指示されたパターンのＭＩＭＯタイプＡとＭＩＭＯタイプＢのチャネル品質表示（ＣＱＩ）の提供を要求していると解釈するように構成される。チャネル品質表示（ＣＱＩ）報告部は、それに応じて、無線端末がＭＩＭＯモードで動作していないとき、指示されたパターンのＭＩＭＯタイプＡとＭＩＭＯタイプＢのチャネル品質表示（ＣＱＩ）を提供するように構成される。
【００４３】
一実施例では、指示されたパターンのＭＩＭＯタイプＡとＭＩＭＯタイプＢのチャネル品質表示（ＣＱＩ）は、以前無線端末がＭＩＭＯモードで動作していたときに提供した前のパターンのＭＩＭＯタイプＡとＭＩＭＯタイプＢのチャネル品質表示（ＣＱＩ）とは異なる。
【００４４】
一実施形態例では、無線端末の高速ダウンリンク共用チャネル制御装置は、ＭＩＭＯ関連命令を、無線端末がＭＩＭＯモードで動作していないとき、無線端末に非ＭＩＭＯチャネル品質表示（ＣＱＩ）のＭＩＭＯチャネル品質表示（ＣＱＩ）での置換を要求していると解釈するように構成される。チャネル品質表示（ＣＱＩ）報告部は、それに応じて、無線端末がＭＩＭＯモードで動作していないとき、非ＭＩＭＯチャネル品質表示（ＣＱＩ）をＭＩＭＯチャネル品質表示（ＣＱＩ）で置換するように構成される。
【００４５】
一実施形態例では、無線端末の高速ダウンリンク共用チャネル制御装置は、ＭＩＭＯ関連命令を、無線端末がＭＩＭＯチャネル品質表示（ＣＱＩ）を測定するときに使用すべき測定電力オフセット値を有すると解釈するように構成される。チャネル品質表示（ＣＱＩ）報告部は、それに応じて、無線端末がＭＩＭＯチャネル品質表示（ＣＱＩ）を測定するときに使用すべき測定電力オフセット値を使用するように構成される。
【００４６】
本明細書に記載の実施形態を含む実施形態は、少なくとも１つの利点として、状態がＭＩＭＯ伝送に有利である場合、現在非ＭＩＭＯモードのＭＩＭＯ対応無線端末をＭＩＭＯモードに切り替える決定をするために適切な情報を供給する。
【００４７】
前述および他の本発明の目的、特徴および利点は、参照文字が種々の図面のすべてにおいて同じ要素を指す添付の図面に示す、好ましい実施形態についての以下のより詳細な説明から明らかになるであろう。図は、必ずしも一定の率で拡大縮小されておらず、代わりに本発明の原理を明らかにする強調が行われている。
【図面の簡単な説明】
【００４８】
【図１】ＣＱＩ通信を変更するＭＩＭＯ関連命令生成部を備える一実施形態例の基地局を備える、一例である無線アクセスネットワークの少なくとも一部のブロック図である。
【図２】ＭＩＭＯ関連命令がかかわる一般的方法に関連して実行される、基本的または典型的な動作例またはステップ例を示すフローチャートである。
【図３】図２の基本的または典型的な動作例またはステップ例を示すブロック図である。
【図４】ＭＩＭＯ関連命令が、無線端末がＭＩＭＯモードで動作していないとき、無線端末にＭＩＭＯチャネル品質表示（ＣＱＩ）を提供するように要求する種々の実施モードおよび実施形態に関連して実行される、基本的または典型的な動作例またはステップ例を示すフローチャートである。
【図５Ａ】図４の第１の実施例に関連して実行される基本的または典型的な動作例またはステップ例を示すフローチャートである。
【図５Ｂ】第１の実施例に対する適切な命令の一フォーマット例の図である。
【図６Ａ】図４の第２の実施例に関連して実行される基本的または典型的な動作例またはステップ例を示すフローチャートである。
【図６Ｂ】第２の実施例に対する適切な命令の一フォーマット例の図である。
【図７Ａ】図４の第３の実施例に関連して実行される基本的または典型的な動作例またはステップ例を示すフローチャートである。
【図７Ｂ】第３の実施例に対する適切な命令の一フォーマット例の図である。
【図８Ａ】図４の第４の実施例に関連して実行される基本的または典型的な動作例またはステップ例を示すフローチャートである。
【図８Ｂ】第４の実施例に対する適切な命令の一フォーマット例の図である。
【図９Ａ】図４の第５の実施例に関連して実行される基本的または典型的な動作例またはステップ例を示すフローチャートである。
【図９Ｂ】第５の実施例に対する適切な命令の一フォーマット例の図である。
【図１０Ａ】図４の第６の実施例に関連して実行される基本的または典型的な動作例またはステップ例を示すフローチャートである。
【図１０Ｂ】第６の実施例に対する適切な命令の一フォーマット例の図である。
【図１１Ａ】図４の第７の実施例に関連して実行される基本的または典型的な動作例またはステップ例を示すフローチャートである。
【図１１Ｂ】第７の実施例に対する適切な命令の一フォーマット例の図である。
【図１２Ａ】図４の第８の実施例に関連して実行される基本的または典型的な動作例またはステップ例を示すフローチャートである。
【図１２Ｂ】第７の実施例に対する適切な命令の一フォーマット例の図である。
【図１３Ａ】図４の第９の実施例に関連して実行される基本的または典型的な動作例またはステップ例を示すフローチャートである。
【図１３Ｂ】第８の実施例に対する適切な命令の一フォーマット例の図である。
【図１４】ＣＱＩ通信を変更するＭＩＭＯ関連命令生成部を備える一実施形態例の基地局を備え、命令に対する確認応答が無線端末から提供される、一例である無線アクセスネットワークの少なくとも一部のブロック図である。
【図１５】図２の基本的または典型的な動作例またはステップ例を、無線端末から基地局に送信される確認応答メッセージによって強化して示すブロック図である。
【発明を実施するための形態】
【００４９】
本願は、２００８年１月２４日に出願された「ＣＱＩモード選択のためのＨＳ−ＳＣＣＨ命令（HS-SCCH ORDERS FOR CQI MODE SELECTION）」と題する米国仮特許出願第６１／０２３，３４６号の優先権を主張するとともに、その内容全体を参照によって本願明細書に引用したものとする。
【００５０】
以下の記述では、本発明の完全な理解を提供する手段として、限定でなく説明のために、特定のアーキテクチャ、インタフェース、技法等のような具体的な詳細を記載する。しかし、本発明がこれらの具体的な詳細から離れた他の実施形態で実践されてもよいことは、当業者には明らかであろう。すなわち、当業者は、本明細書に明示的に記述も図示もされていないが、本発明の原理を具体化し、その精神および範囲内に含まれる種々のアレンジメントを考案できるであろう。場合によっては、周知のデバイス、回路および方法の詳細記述は、不要な詳細で本発明の記述を不明瞭にしないように省略している。本発明の原理、態様および実施形態、ならびにこれらの具体的な例を挙げる本明細書のすべての記述は、これらの構造上と機能上の両方の均等物を包含することを意図している。さらに、そのような均等物は、現在公知の均等物と、将来開発される均等物すなわち構造にかかわらず同じ機能を実行するあらゆる開発要素との、両方を含むことを意図している。
【００５１】
従って、例えば本明細書のブロック図が、本技術の原理を具体化する実例となる回路の概念図を表してもよいことを、当業者は理解するであろう。同様に、フローチャート、状態遷移図、疑似コード、および同種のものが種々のプロセスを表し、これらの種々のプロセスが、コンピュータで読み取り可能な記憶媒体に実質的に表され、コンピュータまたはプロセッサが明示的に図示されているか否かにかかわらず、そのようなコンピュータまたはプロセッサによって実行されてもよいことも理解されるであろう。
【００５２】
「プロセッサ」または「制御装置」と名付けられたかまたは記述された機能ブロックを含む種々の要素の機能は、専用ハードウェアの使用によって、および適切なソフトウェアと連携したソフトウェア実行能力のあるハードウェアの使用によって提供されてもよい。プロセッサによって提供されるとき、機能は、単一の専用プロセッサによって、単一の共用プロセッサによって、または一部が共用もしくは分散されてもよい複数の個別プロセッサによって提供されてもよい。さらに、「プロセッサ」または「制御装置」という用語の明示的使用は、ソフトウェア実行能力のあるハードウェアをもっぱら指すと解釈されるべきでなく、デジタル信号プロセッサ（ＤＳＰ）ハードウェア、ソフトウェア格納用のリードオンリメモリ（ＲＯＭ）、ランダムアクセスメモリ（ＲＡＭ）、および不揮発性記憶装置を含んでもよいが、これらに限定されない。
【００５３】
図１は、無線アクセスネットワーク（ＲＡＮ）の少なくとも一部を示し、特に、エアインタフェース３２越しに無線端末３０と通信する一例であるネットワークノード２８を示す。いくつかの実施形態例では、ネットワークノードが基地局であることから、本明細書では基地局２８に言及する。基地局は、当技術分野では時には、無線基地局、ノードＢ、Ｂ−ｎｏｄｅ、またはｅＮｏｄｅＢ（これらのすべては、本明細書では交換可能に使用される）とも呼ばれることも、当業者は理解するであろう。
【００５４】
基地局２８と無線端末３０との間のエアインタフェース３２越しの制御データおよびユーザデータの伝送のために、いくつかの異なるタイプのチャネルが存在してもよい。例えば、順方向または下り方向には、いくつかのタイプのブロードキャストチャネル、１つ以上の制御チャネル、１つ以上の共通トラヒックチャネル（ＣＣＨ）、１つの共通パイロットチャネル（ＣＰＩＣＨ）、個別トラヒックチャネル（ＤＰＣＨ）、および高速ダウンリンク共用チャネル（ＨＳ−ＤＳＣＨ）がある。ダウンリンク個別物理チャネル（ＤＰＣＨ）は、個別物理データチャネル（ＤＰＤＣＨ）も個別物理制御チャネル（ＤＰＣＣＨ）も伝える。図１は、単純化した形態で、高速物理ダウンリンク共用チャネル（ＨＳ−ＰＤＳＣＨ）、高速共用制御チャネル（ＨＳ−ＳＣＣＨ）、および高速アップリンク個別物理制御チャネル（ＨＳ−ＤＰＣＣＨ）を示し、これらのすべては、高速ダウンリンク共用チャネル（ＨＳ−ＤＳＣＨ）を構成する。
【００５５】
図１は、基地局２８が、他のエンティティおよび機能もあるが、１つ以上のトランシーバ３８および高速ダウンリンク共用チャネル制御装置４０を備えることも示す。基地局２８は、１つ以上の無線端末にエアインタフェース３２越しにＭＩＭＯ伝送ができる。基地局２８のＭＩＭＯ能力に照らして、トランシーバ３８は、複数のアンテナ４２１〜４２ｎに接続されている。
【００５６】
高速ダウンリンク共用チャネル制御装置４０は、例えば、ダウンリンクユーザデータハンドラ４４、制御信号生成部４６、アップリンク信号プロセッサ４８、およびＭＩＭＯ  ＯＮ／ＯＦＦスイッチ４９を備える。ダウンリンクユーザデータハンドラ４４は、例えばＨＳ−ＰＤＳＣＨなどのダウンリンク共用チャネルでエアインタフェース３２を越える伝送のために、ユーザデータを準備およびフォーマットする働きをする。制御信号生成部４６は、例えばＨＳ−ＳＣＣＨなどのチャネルでエアインタフェース３２を越えるダウンリンクシグナリングを生成およびフォーマットする。アップリンク信号プロセッサ４８は、高速個別物理制御チャネル（ＨＳ−ＤＰＣＣＨ）などのアップリンクシグナリングチャネルで、エアインタフェース３２越しにアップリンクで受信した信号を受理および処理する。ＭＩＭＯ  ＯＮ／ＯＦＦスイッチ４９は、ＨＳＰＤＡに関与する各個別の無線端末に関して、ＭＩＭＯモードから非ＭＩＭＯモードに切り替えるかどうか、あるいは逆に（例えば、非ＭＩＭＯモードからＭＩＭＯモードに）切り替えるかどうかを決定する。
【００５７】
通常は、高速ダウンリンク共用チャネル制御装置４０は、無線アクセスネットワーク（ＲＡＮ）の基地局に配置されるか、または基地局を備える。「ネットワークノード」という用語は、本明細書では高速ダウンリンク共用チャネル制御装置４０の機能が別の無線アクセスネットワークノードまたはエンティティに設置されてもよいという範囲で用いられる。
【００５８】
当業者が理解するように、特定の「命令」が、ダウンリンクシグナリングチャネル（例えば、ＨＳ−ＳＣＣＨ）で無線端末３０に伝達または通達される。これまでこのようなＨＳ−ＳＣＣＨ命令は、不連続受信（ＤＲＸ）の起動または停止、不連続送信（ＤＴＸ）の起動または停止、ＨＳ−ＳＣＣＨ削減動作(HS-SCCH-less operation)の起動を伝達している。例えば、その内容全体を参照によって本願明細書に引用したものとする”3GPP TS 25.212 V8.3.0 (20010-09), 3rd Generation Partnership Project; Technical Specification Group Radio Access Network; Multiplexing and channel coding (FDD)(Release 8)”（文献１）、特にそのセクション４．６Ｃを参照されたい。制御信号生成部４６は、そのような従来の命令を生成できる。さらに、本明細書に開示の技術に従って、制御信号生成部４６は、ＭＩＭＯ関連命令生成部５０も備える。本明細書で説明するように、ＭＩＭＯ関連命令生成部５０は、ＭＩＭＯ対応端末に対するチャネル品質表示（ＣＱＩ）の要求／生成に関連する命令をさらに生成し、このようにしてＭＩＭＯ対応端末とのＣＱＩ通信を変更する働きをする。
【００５９】
図１に示されている一例である無線端末３０は、１つ以上のトランシーバ６８および端末高速ダウンリンク共用チャネル制御装置７０を備える。図１の無線端末３０は、ＭＩＭＯ対応端末であり、このようなことから、トランシーバ６８は、複数のアンテナ７２１〜７２ｊを備えるかまたはそれらに接続されている。
【００６０】
端末高速ダウンリンク共用チャネル制御装置７０は、例えば、ダウンリンクユーザデータハンドラ７４、ダウンリンク制御信号プロセッサ７６、およびアップリンク信号生成部７８を備える。ダウンリンクユーザデータハンドラ７４は、ダウンリンク共用チャネル（例えば、ＨＳ−ＰＤＳＣＨ）で基地局２８からエアインタフェース３２越しに受信したユーザデータを処理およびデフォーマットする働きをする。制御信号プロセッサ７６は、ダウンリンクシグナリングチャネル（例えば、ＨＳ−ＳＣＣＨ）で基地局２８からエアインタフェース３２越しに受信した（ＨＳ−ＳＣＣＨ命令を含む）ダウンリンクシグナリングを受理、解釈および処理する。アップリンク信号生成部７８は、高速個別物理制御チャネル（ＨＳ−ＤＰＣＣＨ）などのアップリンクシグナリングチャネルで送信用の信号を生成する。このようなアップリンク制御チャネルは、無線端末が、ダウンリンクチャネル品質報告および再送要求のために使用してもよい。この目的のために、アップリンク信号生成部７８は、ＣＱＩ測定報告部８０を備えるように図１に示されている。
【００６１】
図２および図３は、本明細書に開示の技術の一般的方法に関連して実行される、基本的または典型的な動作例またはステップ例を示す。基本的方法の動作２−１は、基地局２８から無線端末３０への高速ダウンリンク共用チャネルの制御信号に含めるＭＩＭＯ関連命令９０（図３参照）を生成する工程を備える。ＭＩＭＯ関連命令９０は、例えば図１のＭＩＭＯ関連命令生成部５０によって生成されてもよい。ＭＩＭＯ関連命令９０は、好ましくは高速共用制御チャネル（ＨＳ−ＳＣＣＨ）に含められる。ＭＩＭＯ関連命令９０は、無線端末のＭＩＭＯ能力に照らして、無線端末と基地局との間のチャネル品質表示（ＣＱＩ）通信を変更するように構成される。このように、ＣＱＩ通信を変更するＭＩＭＯ関連命令９０は、（上述のように）信号不連続受信（ＤＲＸ）の起動または停止、不連続送信（ＤＴＸ）の起動または停止、ならびにＨＳ−ＳＣＣＨ削減動作の起動を伝える機能として働いている従来のＨＳ−ＳＣＣＨ命令とは異なっている。ＭＩＭＯ関連命令がどのようにチャネル品質表示（ＣＱＩ）通信を変更するかの種々の実施形態について、以下でさらに説明する。
【００６２】
基本的方法の動作２−２は、命令９０に従って、無線端末３０から基地局にチャネル品質表示（ＣＱＩ）レポート９２（図３参照）を提供する工程を備える。チャネル品質表示（ＣＱＩ）レポート９２は、例えば図１に示されるＣＱＩ測定報告部８０によって生成されてもよく、アップリンクシグナリングチャネル例えばＨＳ−ＤＰＣＣＨチャネルに含められてもよい。
【００６３】
動作２−２で生成され提供されたようなチャネル品質表示（ＣＱＩ）レポート９２の受信時、基地局２８は、高速ダウンリンク共用チャネル（ＨＳ−ＤＳＣＨ）に関して、高速ダウンリンク共用チャネルの送信動作の調整または変更（例えば、電力調節、コードワード割り当て、または他のスケジューリング調節）が必要かどうかを判定してもよい。さらに、チャネル品質表示（ＣＱＩ）レポートの受信時、基地局２８（例えば、ＭＩＭＯ  ＯＮ／ＯＦＦスイッチ４９）は、ＭＩＭＯモードから非ＭＩＭＯモードへ、またはその逆に変更することが望ましいかどうかを判定してもよい。
【００６４】
いくつかの例である実施形態および実施モードでは、本明細書に開示の技術が、ＨＳ−ＳＣＣＨで伝達されるＭＩＭＯ関連命令を、無線端末がＭＩＭＯモードで動作していないとき、無線端末にＭＩＭＯチャネル品質表示（ＣＱＩ）の提供を要求するように構成する工程を備える。無線端末３０は、無線端末３０のＭＩＭＯ動作を反映する特別のチャネル品質表示（ＣＱＩ）レポート（例えば、タイプＡまたはタイプＢのＣＱＩレポート）を通常提供するのに対して、無線端末３０が非ＭＩＭＯモードで動作するとき、普通は通常のＣＱＩレポートだけを提供する。前述のように、「通常」のＣＱＩは、５ビットから成り、無線端末における１０％のブロック誤り率（ＢＬＥＲ）に相当する受信信号対雑音比（ＳＮＲ）を表示する役割をする。
【００６５】
このように、図４は、一例である実施形態および実施モードを示し、それでは動作４−１が、基地局２８から無線端末３０への高速ダウンリンク共用チャネルの制御シグナリングに含めるＭＩＭＯ関連命令を生成する工程と、そのＭＩＭＯ関連命令を、無線端末がＭＩＭＯモードで動作していないとき、無線端末にＭＩＭＯチャネル品質表示（ＣＱＩ）の提供を要求するように構成する工程とを備える。図４の動作４−２は、無線端末３０が、命令に応えて、自端末がＭＩＭＯモードで動作していないとき、ＭＩＭＯチャネル品質表示（ＣＱＩ）を提供する工程を備える。
【００６６】
（無線端末がＭＩＭＯモードで動作していないとき）無線端末に特定のＭＩＭＯチャネル品質表示（ＣＱＩ）を提供するように要求する本明細書に記載の動作は、無線端末がＭＩＭＯモードで動作していないとき、無線端末に非ＭＩＭＯチャネル品質表示（ＣＱＩ）をＭＩＭＯチャネル品質表示（ＣＱＩ）で置換するように要求する工程を備えてもよいことが理解されるべきである。あるいは、少なくともいくつかの実施では、特に要求されたＭＩＭＯチャネル品質表示（ＣＱＩ）が、無線端末がＭＩＭＯモードで動作していないときに提供される「通常」のチャネル品質表示（ＣＱＩ）に加えられてもよい。
【００６７】
図５Ａおよび図５Ｂは、図４の実施形態および実施モードの第１の実施例を示す。図５Ａは、実施の典型的なステップの動作例を示し、図５Ｂは、高速共用制御チャネル（ＨＳ−ＳＣＣＨ）に含めるのに適切な命令の一フォーマット例を示す。
【００６８】
図５Ａの動作５−１は、ＭＩＭＯ関連命令を生成する工程と、そのＭＩＭＯ関連命令を、無線端末がＭＩＭＯモードで動作していないとき、無線端末にＭＩＭＯタイプＡもしくはＭＩＭＯタイプＢのチャネル品質表示（ＣＱＩ）または「通常」のＣＱＩの提供を要求するように構成する工程とを備える。図５Ａの動作５−２は、無線端末が、動作５−１の命令に応えて、自端末がＭＩＭＯモードで動作していないとき、ＭＩＭＯタイプＡもしくはＭＩＭＯタイプＢのチャネル品質表示（ＣＱＩ）または「通常」のＣＱＩを提供する工程を備える。
【００６９】
高速共用制御チャネル（ＨＳ−ＳＣＣＨ）に含まれる従来の命令は、典型的に３つのフィールドを有し、それらは、命令タイプを示す第１のフィールド（Ｆ１）（例えば、「命令タイプ」フィールド）、命令を指定する第２のフィールド（Ｆ２）（例えば、「命令」フィールド）、および命令が宛てられるかまたは適用される無線端末のアイデンティティを指定する第３のフィールド（Ｆ３）（例えば、「ＵＥアイデンティティ」フィールド）である。普通は、第１のフィールド（Ｆ１）は３ビット長であり、第２のフィールド（Ｆ２）も３ビット長であり、第３のフィールド（Ｆ３）は１６ビット長である。これについてもやはり、例えば、その内容全体を参照によって本願明細書に引用したものとする文献１、特にそのセクション４．６Ｃを参照されたい。
【００７０】
図５Ｂは、文献１のセクション４．６Ｃに記載されているのと実質的に同じフィールドパターンを有する動作５−１の命令の実施における、動作５−１のＭＩＭＯ関連命令の一フォーマット例を示す。動作５−１のＭＩＭＯ関連命令のフィールドＦ１は、従来の命令タイプ値とは異なる（例えば、従来の動作の不連続受信（ＤＲＸ）の起動または停止、不連続送信（ＤＴＸ）の起動または停止、ならびにＨＳ−ＳＣＣＨ削減動作の起動を意味するだろう命令タイプ値とは異なる）値を有する。特に、動作５−１のＭＩＭＯ関連命令のフィールドＦ１は、命令の目的が、ＭＩＭＯ対応無線端末がＭＩＭＯモードで動作していないときに特定のＭＩＭＯ  ＣＱＩタイプの要求を意味する値を有する。事前設定することによって、動作５−１のＭＩＭＯ関連命令が、無線端末から提供されるただ１つ（「単一」または「単独」）それとも複数（例えば、一連続）のＣＱＩレポートに適用されるかを、基地局も無線端末も理解し得る。
【００７１】
動作５−１のＭＩＭＯ関連命令のフィールドＦ２は、どの特定のＭＩＭＯ  ＣＱＩタイプを要求しているかを指定する値を有する。言い換えると、ＭＩＭＯタイプＡチャネル品質表示（ＣＱＩ）、ＭＩＭＯタイプＢチャネル品質表示（ＣＱＩ）、または「通常」のチャネル品質表示（ＣＱＩ）のどれかを示す値が、動作５−１のＭＩＭＯ関連命令のフィールドＦ２に含まれている。動作５−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００７２】
従って、図５Ａおよび図５Ｂに示される一実施例では、無線アクセスネットワーク（ＲＡＮ）と無線端末３０との無線通信はＷＣＤＭＡに基づき、無線端末にデータを伝送するためにＨＳ−ＤＳＣＨが使用される。チャネル品質レポートはチャネル品質インジケータ（ＣＱＩ）を有し、無線制御チャネルはＨＳ−ＳＣＣＨであり、メッセージは既存の制御メッセージである。既存の制御メッセージは、ＨＳ−ＳＣＣＨ命令であり、ＨＳ−ＳＣＣＨ命令は、ＣＱＩレポートを指示する第１のフィールド（Ｆ１）と、ＣＱＩが「通常」、タイプＡ、それともタイプＢであるべきかを指示する第２のフィールド（Ｆ２）とを有する。
【００７３】
図６Ａおよび図６Ｂは、図４の実施形態および実施モードの第２の実施例を示す。前の図と同様に、図６Ａは、実施の典型的なステップの動作例を示し、図６Ｂは、高速共用制御チャネル（ＨＳ−ＳＣＣＨ）に含めるのに適切な命令の一フォーマット例を示す。
【００７４】
図６Ａの動作６−１は、ＭＩＭＯ関連命令を生成する工程と、そのＭＩＭＯ関連命令を、無線端末がＭＩＭＯモードで動作していないとき、単一（すなわち、１つだけ）のＭＩＭＯチャネル品質表示（ＣＱＩ）の提供を要求するように構成する工程とを備える。図６Ａの動作６−２は、無線端末が、動作６−１の命令に応えて、自端末がＭＩＭＯモードで動作していないとき、単一のＭＩＭＯチャネル品質表示（ＣＱＩ）を提供する工程を備える。
【００７５】
図６Ｂは、動作６−１のＭＩＭＯ関連命令の一フォーマット例で、かつ動作６−１の命令が文献１のセクション４．６Ｃに記載されているのと実質的に同じフィールドパターンを有する一実施におけるＭＩＭＯ関連命令の一フォーマット例を示す。動作６−１のＭＩＭＯ関連命令のフィールドＦ１は、従来の命令タイプ値とは異なる値を有する。特に、動作６−１のＭＩＭＯ関連命令のフィールドＦ１は、命令の目的が、ＭＩＭＯ対応無線端末がＭＩＭＯモードで動作していないとき、単一のＭＩＭＯチャネル品質表示（ＣＱＩ）の要求を意味する値を有する。動作６−１のＭＩＭＯ関連命令のフィールドＦ２は、どの特定のＭＩＭＯ  ＣＱＩタイプを要求しているかを指定する値を有する。言い換えると、ＭＩＭＯタイプＡチャネル品質表示（ＣＱＩ）、ＭＩＭＯタイプＢチャネル品質表示（ＣＱＩ）、または「通常」のチャネル品質表示（ＣＱＩ）のどれかを示す値が、動作６−１のＭＩＭＯ関連命令のフィールドＦ２に含まれている。動作６−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００７６】
図７Ａおよび図７Ｂは、図４の実施形態および実施モードの第３の実施例を示す。前の図と同様に、図７Ａは、実施の典型的なステップの動作例を示し、図７Ｂは、高速共用制御チャネル（ＨＳ−ＳＣＣＨ）に含めるのに適切な命令の一フォーマット例を示す。
【００７７】
図７Ａおよび図７Ｂの実施の目的は、現在または以前起こったパターンのタイプＡとタイプＢのＭＩＭＯチャネル品質表示（ＣＱＩ）を延長することである。
【００７８】
図７Ａの動作７−１は、ＭＩＭＯ関連命令を生成する工程と、そのＭＩＭＯ関連命令を、無線端末がＭＩＭＯモードで動作していないとき、以前無線端末がＭＩＭＯモードで動作していた時に提供したのと同じパターンのＭＩＭＯタイプＡとＭＩＭＯタイプＢのチャネル品質表示（ＣＱＩ）の提供を無線端末に要求するように構成する工程とを備える。図７Ａの動作７−２は、無線端末が、動作７−１の命令に応えて、以前無線端末がＭＩＭＯモードで動作していた時に提供したのと同じパターンのＭＩＭＯタイプＡとＭＩＭＯタイプＢのチャネル品質表示（ＣＱＩ）を提供する工程を備える。
【００７９】
図７Ｂは、動作７−１のＭＩＭＯ関連命令の一フォーマット例で、かつ動作７−１の命令が文献１のセクション４．６Ｃに記載されているのと実質的に同じフィールドパターンを有する一実施におけるＭＩＭＯ関連命令の一フォーマット例を示す。動作７−１のＭＩＭＯ関連命令のフィールドＦ１は、従来の命令タイプ値とは異なる値を有する。特に、動作７−１のＭＩＭＯ関連命令のフィールドＦ１は、命令の目的が、無線端末がＭＩＭＯモードで動作していないとき、以前無線端末がＭＩＭＯモードで動作していた時に提供したのと同じパターンのＭＩＭＯタイプＡとＭＩＭＯタイプＢのチャネル品質表示（ＣＱＩ）の提供を無線端末に要求することを意味する値を有する。前のＭＩＭＯ  ＣＱＩパターンを無線端末がまだ覚えていることを考慮すると、動作７−１のＭＩＭＯ関連命令のフィールドＦ２は必ずしも利用される必要はなく、それ故、図７Ｂでは「オプション」または「空白」で示されている。あるいは、前のパターンを示す値がフィールドＦ２に含まれてもよい。動作７−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００８０】
図８Ａおよび図８Ｂは、図４の実施形態および実施モードの第４の実施例を示す。前の図と同様に、図８Ａは、実施の典型的なステップの動作例を示し、図８Ｂは、高速共用制御チャネル（ＨＳ−ＳＣＣＨ）に含めるのに適切な命令の一フォーマット例を示す。
【００８１】
図８Ａの動作８−１は、ＭＩＭＯ関連命令を生成する工程と、そのＭＩＭＯ関連命令を、無線端末がＭＩＭＯモードで動作していないときに、ＭＩＭＯタイプＡとＭＩＭＯタイプＢのチャネル品質表示（ＣＱＩ）のパターンを指示するように構成する工程とを備える。動作８−１で指示するパターンは、ＭＩＭＯタイプＡとＭＩＭＯタイプＢのチャネル品質表示（ＣＱＩ）の新しいパターン、例えば以前無線端末がＭＩＭＯモードで動作していた時に提供されなかったパターンでもよい。図８Ａの動作８−２は、無線端末が、動作８−１の命令に応えて、動作８−１で要求されたパターンのＭＩＭＯタイプＡとＭＩＭＯタイプＢのチャネル品質表示（ＣＱＩ）を提供する工程を備える。
【００８２】
図８Ｂは、動作８−１のＭＩＭＯ関連命令の一フォーマット例で、かつ動作８−１の命令が文献１のセクション４．６Ｃに記載されているのと実質的に同じフィールドパターンを有する一実施におけるＭＩＭＯ関連命令の一フォーマット例を示す。動作８−１のＭＩＭＯ関連命令のフィールドＦ１は、従来の命令タイプ値とは異なる値を有する。特に、動作８−１のＭＩＭＯ関連命令のフィールドＦ１は、命令の目的が、無線端末がＭＩＭＯモードで動作していないときに、特定のパターンのＭＩＭＯタイプＡとＭＩＭＯタイプＢのチャネル品質表示（ＣＱＩ）の提供を無線端末に要求することを意味する値を有する。動作８−１のＭＩＭＯ関連命令のフィールドＦ２は、現在要求している特定のパターンのＣＱＩを指定する。動作８−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００８３】
このように、図８Ａおよび図８Ｂの実施は、ＨＳ−ＳＣＣＨ命令を使用して、報告サイクルの変更、すなわちＮおよびＭの変更を可能にする。言い換えると、前の実施から理解されるように、Ｎ／Ｍの比は変更され得る。
【００８４】
図９Ａおよび図９Ｂは、図４の実施形態および実施モードの第５の実施例を示す。前の図と同様に、図９Ａは、実施の典型的なステップの動作例を示し、図９Ｂは、高速共用制御チャネル（ＨＳ−ＳＣＣＨ）に含めるのに適切な命令の一フォーマット例を示す。
【００８５】
図９Ａおよび図９Ｂの実施の目的は、ＭＩＭＯ対応無線端末がそのＭＩＭＯモードの動作で送信すべき、タイプＡとタイプＢのＣＱＩレポート間の比を設定することである。例えば、ネットワークは、無線端末が報告するＭ個のＣＱＩの中からＮ個ごとにタイプＢにすべきと無線端末に指示してもよい。例えば、この比Ｎ：Ｍを１／４に設定することは、４つのＣＱＩレポートの中の１つはタイプＢであり、残りはタイプＡであることを意味する。本明細書に開示され、かつ図９Ａおよび図９Ｂに示される技術は、ＭＩＭＯモードで動作していないＭＩＭＯ対応無線端末が、ある割合でＭＩＭＯ  ＣＱＩを報告するように命令を受け、その割合で報告することを可能にする。例えば、１／４の設定割合は、無線端末からの４つのＣＱＩレポートの中の１つがＭＩＭＯ  ＣＱＩであるべきことを意味する。
【００８６】
図９Ａの動作９−１は、ＭＩＭＯ関連命令を生成する工程と、そのＭＩＭＯ関連命令を、特定または指示の割合のＭＩＭＯタイプＡとＭＩＭＯタイプＢのチャネル品質表示（ＣＱＩ）の提供を無線端末に要求するように構成する工程とを備える。図９Ａの動作９−２は、無線端末が、動作９−１の命令に応えて、指示された割合のＭＩＭＯタイプＡとＭＩＭＯタイプＢのチャネル品質表示（ＣＱＩ）を提供する工程を備える。
【００８７】
図９Ｂは、動作９−１のＭＩＭＯ関連命令の一フォーマット例で、かつ動作９−１の命令が文献１のセクション４．６Ｃに記載されているのと実質的に同じフィールドパターンを有する一実施におけるＭＩＭＯ関連命令の一フォーマット例を示す。動作９−１のＭＩＭＯ関連命令のフィールドＦ１は、従来の命令タイプ値とは異なる値を有する。特に、動作９−１のＭＩＭＯ関連命令のフィールドＦ１は、命令の目的が、無線端末がＭＩＭＯモードで動作していないときに、指示の割合のＭＩＭＯタイプＡとＭＩＭＯタイプＢのチャネル品質表示（ＣＱＩ）の提供を無線端末に要求することを意味する値を有する。動作９−１のＭＩＭＯ関連命令のフィールドＦ２は、指示の割合を示す値を有する。動作９−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００８８】
図１０Ａおよび図１０Ｂは、図４の実施形態および実施モードの第６の実施例を示す。前の図と同様に、図１０Ａは、実施の典型的なステップの動作例を示し、図１０Ｂは、高速共用制御チャネル（ＨＳ−ＳＣＣＨ）に含めるのに適切な命令の一フォーマット例を示す。
【００８９】
図１０Ａおよび図１０Ｂの実施の目的は、無線端末がＭＩＭＯモードに設定されていないときに、「通常」のチャネル品質表示（ＣＱＩ）レポートとＭＩＭＯチャネル品質表示（ＣＱＩ）レポートとの混合レポートを要求することである。前に示しているように、「通常」のＣＱＩは、ＭＩＭＯ（Multiple-Input-Multiple-Output）モードに設定されていない無線端末に対して使用される。例えば、ネットワークは、無線端末が報告するＫ個のＣＱＩごとに、その中のＪ個のＣＱＩを「通常」のタイプのチャネル品質表示（ＣＱＩ）にすべき一方で、報告の残りをＭＩＭＯチャネル品質表示（ＣＱＩ）レポートにすべきと無線端末に指示してもよい。残り（Ｋ−Ｊ個）のＭＩＭＯチャネルレポートをＡタイプにべきか、それともＢタイプにすべきかについても、同様に指定してもよい、あるいは、ＡタイプとＢタイプのＣＱＩの組み合わせ、および（所望の場合）ＡタイプのＢタイプに対するＭＩＭＯチャネルレポートの比が、残り（Ｋ−Ｊ個）のＭＩＭＯチャネルレポートを構成するために使用されてもよい。
【００９０】
図１０Ａの動作１０−１は、ＭＩＭＯ関連命令を生成する工程と、そのＭＩＭＯ関連命令を、通常のチャネル品質表示（ＣＱＩ）とＭＩＭＯチャネル品質表示（ＣＱＩ）の混合チャネル品質表示（ＣＱＩ）を要求するように構成する工程とを備える。図１０Ａの動作１０−２は、無線端末が、動作１０−１の命令に応えて、要求された通常のチャネル品質表示（ＣＱＩ）とＭＩＭＯチャネル品質表示（ＣＱＩ）の混合チャネル品質表示（ＣＱＩ）を提供する工程を備える。
【００９１】
図１０Ｂは、動作１０−１のＭＩＭＯ関連命令の一フォーマット例で、かつ動作１０−１の命令が文献１のセクション４．６Ｃに記載されているのと実質的に同じフィールドパターンを有する一実施におけるＭＩＭＯ関連命令の一フォーマット例を示す。動作１０−１のＭＩＭＯ関連命令のフィールドＦ１は、従来の命令タイプ値とは異なる値を有する。特に、動作９−１のＭＩＭＯ関連命令のフィールドＦ１は、命令の目的が、無線端末がＭＩＭＯモードで動作していないときに、通常のチャネル品質表示（ＣＱＩ）とＭＩＭＯチャネル品質表示（ＣＱＩ）の混合チャネル品質表示（ＣＱＩ）の提供を無線端末に要求することを意味する値を有する。動作１０−１のＭＩＭＯ関連命令のフィールドＦ２は、混合チャネル品質表示（ＣＱＩ）、例えば無線端末が報告するＫ個のＣＱＩごとに、その中のＪ個を「通常」のタイプのチャネル品質表示（ＣＱＩ）にすべきなのに対して、報告の残りはＭＩＭＯチャネル品質表示（ＣＱＩ）レポートにすべきと指定する値をさらに定め得るパラメータを有してもよい。オプションで、動作１０−１のＭＩＭＯ関連命令のフィールドＦ２は、ＭＩＭＯチャネル品質表示（ＣＱＩ）レポートがタイプＡかそれともタイプＢかそれとも両方の組み合わせか（そうである場合、例えばタイプＡのタイプＢに対するなどの比）も指定してもよい。動作１０−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００９２】
図１１Ａおよび図１１Ｂは、図４の実施形態および実施モードの第７の実施例を示す。前の図と同様に、図１１Ａは、実施の典型的なステップの動作例を示し、図１１Ｂは、高速共用制御チャネル（ＨＳ−ＳＣＣＨ）に含めるのに適切な命令の一フォーマット例を示す。
【００９３】
図１１Ａの動作１１−１は、ＭＩＭＯ関連命令を生成する工程と、そのＭＩＭＯ関連命令を、無線端末が特定のタイプのＭＩＭＯ関連ＣＱＩレポート（または逆に非ＭＩＭＯ関連ＣＱＩレポート）を送信する頻度または時間周期を指定するように構成する工程とを備える。例えば、無線端末がタイプＡのＭＩＭＯ関連ＣＱＩレポートまたはタイプＢのＭＩＭＯ関連ＣＱＩレポートを送信する頻度または時間周期が設定されてもよい。図１１Ａの動作１１−２は、無線端末が、動作１１−１の命令に応えて、要求された頻度または時間周期で要求されたタイプのＭＩＭＯ関連ＣＱＩレポートを提供する工程を備える。
【００９４】
図１１Ｂは、動作１１−１のＭＩＭＯ関連命令の一フォーマット例で、かつ動作１１−１の命令が文献１のセクション４．６Ｃに記載されているのと実質的に同じフィールドパターンを有する一実施におけるＭＩＭＯ関連命令の一フォーマット例を示す。動作１１−１のＭＩＭＯ関連命令のフィールドＦ１は、従来の命令タイプ値とは異なる値を有する。特に、動作９−１のＭＩＭＯ関連命令のフィールドＦ１は、無線端末が特定のタイプのＭＩＭＯ関連ＣＱＩレポートを送信する頻度または時間周期を指定する値を有する。動作１１−１のＭＩＭＯ関連命令のフィールドＦ２は、ＭＩＭＯ関連ＣＱＩレポートが要求される特定の頻度または時間周期を指定する。動作１１−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００９５】
図１２Ａおよび図１２Ｂは、図４の実施形態および実施モードの第８の実施例を示す。前の図と同様に、図１２Ａは、実施の典型的なステップの動作例を示し、図１２Ｂは、高速共用制御チャネル（ＨＳ−ＳＣＣＨ）に含めるのに適切な命令の一フォーマット例を示す。
【００９６】
測定電力オフセット（Γ）として知られるパラメータが、典型的に、共通パイロットチャネル（ＣＰＩＣＨ）とＨＳ−ＤＳＣＨチャネルの電力レベルの差を表す。無線端末は、この測定電力オフセット（Γ）値をＨＳ−ＤＳＣＨを送信するときの電力レベルであると想定するので、このパラメータをそのＨＳＤＰＡ  ＣＱＩ測定アルゴリズムで使用する。例えば、その内容を参照によって本願明細書に引用したものとする”3GPP TS 25.214 V7, Physical layer procedures (FDD)”（文献２）に記載されているように、通常、測定電力オフセットは、高位レイヤシグナリングで設定される。この意味することは、高位レイヤシグナリングは一般にかなり遅いので、同じ電力オフセットがかなり長い時間にわたって使用されることである。非ＭＩＭＯ無線端末に関しては、ネットワークが報告されたＣＱＩ値をＨＳ−ＤＳＣＨの実際の電力レベルに応じたオフセットに従って調整し得るので、これは大きな問題ではない。しかし、ＭＩＭＯモード無線端末に関しては、ＣＱＩに影響を及ぼす干渉が、割り当てられたコードおよび電力リソースに依存するので、そのような調整は普通可能ではない。このように、測定電力オフセット（Γ）が実際の電力を表さない場合、ＭＩＭＯモード無線端末がＣＱＩレポートで返信するＭＩＭＯ  ＣＱＩは、チャネルの本当の品質を反映しないであろう。
【００９７】
図１２Ａの動作１２−１は、無線端末がＭＩＭＯチャネル品質表示（ＣＱＩ）を測定するときに使用すべき測定電力オフセット値を（ＭＩＭＯ関連命令で）指定する工程を備える。図１２Ａの動作１２−２は、無線端末が、命令に従って、その測定電力オフセット値を使用してＭＩＭＯチャネル品質表示（ＣＱＩ）を測定し、それを無線端末から送信する工程を備える。
【００９８】
図１２Ｂは、動作１２−１のＭＩＭＯ関連命令の一フォーマット例で、かつ動作１２−１の命令が文献１のセクション４．６Ｃに記載されているのと実質的に同じフィールドパターンを有する一実施におけるＭＩＭＯ関連命令の一フォーマット例を示す。動作１２−１のＭＩＭＯ関連命令のフィールドＦ１は、従来の命令タイプ値とは異なる値を有する。特に、動作１２−１のＭＩＭＯ関連命令のフィールドＦ１は、命令の目的が、無線端末がＭＩＭＯチャネル品質表示（ＣＱＩ）を測定するときに使用すべき測定電力オフセット値を指定または変更することを意味する値を有する。動作１２−１のＭＩＭＯ関連命令のフィールドＦ２は、動作１２−１の命令の結果として無線端末が使用する測定電力オフセットの特定の値を指定する。動作１２−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【００９９】
このように、図１２Ａおよび図１２Ｂの非限定の実施形態例では、測定電力オフセット（Γ）がＨＳ−ＳＣＣＨ命令を用いて変更される。ＨＳ−ＳＣＣＨ命令による測定電力オフセット（Γ）の変更は、一般に、別のやり方の高位レイヤシグナリングで行われるだろう測定電力オフセットの変更より速く終了する。この結果として、少なくともいくつかの場合には、無線端末がそのＣＱＩの中で利用する測定電力オフセット（Γ）が実際の電力をより良く表し、ＭＩＭＯモード無線端末からＣＱＩレポートの中で返信されるＭＩＭＯ  ＣＱＩがチャネルの本当の品質をより良く反映する結果になるだろう。このように、ＨＳ−ＳＣＣＨ命令を用いた測定電力オフセットΓの変更は、ＭＩＭＯユーザからのより正確なＣＱＩレポートという形態で、ネットワークに便益を提供し得る。
【０１００】
図１３Ａおよび図１３Ｂは、図４の実施形態および実施モードの第９の実施例を示す。前の図と同様に、図１３は、実施の典型的なステップの動作例を示し、図１３Ｂは、高速共用制御チャネル（ＨＳ−ＳＣＣＨ）に含めるのに適切な命令の一フォーマット例を示す。
【０１０１】
図１３Ａの動作１３−１は、無線端末がＭＩＭＯチャネル品質表示（ＣＱＩ）を測定するときに使用すべき測定電力オフセット変更値を（ＭＩＭＯ関連命令で）指定する工程を備える。図１２Ａおよび図１２Ｂの実施形態の測定電力オフセット値は、絶対値（これは測定電力オフセット値の前の値に依存しない）でもよい。対照的に、測定電力オフセット変更値は、前の値または他の値（例えば、高位レイヤを通じて以前伝達された測定電力オフセット値）に対して、測定電力オフセット値をどのように調節または変更するかを反映する値を有する。言い換えると、測定電力オフセット変更値は、以前使用または伝達された測定電力オフセット値に対する変更の大きさを反映する「差分」である。
【０１０２】
図１３Ａの動作１３−２は、無線端末が、動作１３−１の命令に従って、その測定電力オフセット値を使用してＭＩＭＯチャネル品質表示（ＣＱＩ）を測定し、それを無線端末から送信する工程を備える。ＭＩＭＯチャネル品質表示（ＣＱＩ）の測定において、無線端末は、測定電力オフセット変更値を用いて、以前使用または以前伝達された測定電力オフセット値を調節し、それによって、ＭＩＭＯチャネル品質表示（ＣＱＩ）の測定で使用される新しい測定電力オフセット値を推定する。
【０１０３】
図１３Ｂは、動作１３−１のＭＩＭＯ関連命令の一フォーマット例で、かつ動作１３−１の命令が文献１のセクション４．６Ｃに記載されているのと実質的に同じフィールドパターンを有する一実施におけるＭＩＭＯ関連命令の一フォーマット例を示す。動作１２−１のＭＩＭＯ関連命令のフィールドＦ１は、従来の命令タイプ値とは異なる値を有する。特に、動作１３−１のＭＩＭＯ関連命令のフィールドＦ１は、命令の目的が、無線端末がＭＩＭＯチャネル品質表示（ＣＱＩ）を測定するときに使用すべき測定電力オフセット変更値を指定または変更することを意味する値を有する。動作１３−１のＭＩＭＯ関連命令のフィールドＦ２は、動作１３−１の命令の結果として無線端末が使用する測定電力オフセット変更の特定の値を指定する。動作１３−１のＭＩＭＯ関連命令のフィールドＦ３は、可能性のある複数の無線端末の中のどの特定の無線端末に宛てられているか（例えば、ＨＳ−ＳＣＣＨ  ＭＩＭＯ関連ＣＱＩ命令がどの無線端末に適用されるか）を指定する。
【０１０４】
図１５は、無線アクセスネットワーク（ＲＡＮ）の少なくとも一部を示す点で図１に似ており、この場合もやはり、エアインタフェース３２越しに無線端末３０’と通信する一例である基地局２８’を詳しく示す。基地局２８’は、本質的に図１の基地局２８と似ているが、その信号プロセッサ４８の中に命令確認応答チェッカ９４およびＣＱＩレポート分析部９６の両方をさらに有する。同様に、無線端末３０’は、本質的に図１の無線端末３０と似ているが、ダウンリンク信号チャネルの中に含まれた命令が確認応答されているかどうかを判定する働きをする命令確認応答部９８をさらに有する。
【０１０５】
図１５の実施形態は、高速ダウンリンクシグナリングチャネル（例えば、ＨＳ−ＳＣＣＨ）に含まれる、ＣＱＩに影響を与えるＭＩＭＯ関連命令に対する確認応答を無線端末３０’から提供することによって誤りを減少または回避するのに役立つ。例えば、無線端末３０’がＭＩＭＯ  ＣＱＩに関するＨＳ−ＳＣＣＨ命令９０を受信すると、無線端末３０’は、図１５のメッセージ１００によって示されている確認応答メッセージ（例えば、“ＡＣＫ”）で応答する。基地局２８’は、このＡＣＫメッセージ１００を受信すると、無線端末３０’が命令を正しく受信し、次に報告されるＣＱＩがタイプＡかまたはタイプＢのＭＩＭＯ  ＣＱＩだろうことを知る。この確認応答なしでは、システムは、どのタイプのＣＱＩが送信されるか、すなわち通常タイプのＣＱＩかそれともＭＩＭＯタイプのＣＱＩかを判定する必要がある。
【０１０６】
このように、図１４および図１５の一例である実施形態および実施モードでは、方法は、無線端末が基地局にＭＩＭＯ関連命令の確認応答を送信する工程をさらに備える。特に、アップリンク信号生成部７８の命令確認応答部９８は、アップリンク制御信号例えばＨＳ−ＤＰＣＣＨの中にＭＩＭＯ関連命令の確認応答を含める。基地局２８’において、ＭＩＭＯ関連命令の確認応答を含むアップリンク制御信号は、まず基地局アップリンク信号プロセッサ４８のＣＱＩ確認応答チェッカ９４で処理され、このＣＱＩ確認応答チェッカ９４は、アップリンク制御信号がＭＩＭＯ関連命令の予想される肯定応答を実際に含むかどうかを確認する。含んでいる場合、無線端末３０’からアップリンク制御チャネルで受信する以降のＣＱＩレポートは、予想のＭＩＭＯタイプＣＱＩレポートとして取り扱われてもよい。言い換えると、無線端末３０がＭＩＭＯ関連命令を受信したと肯定応答する場合、無線端末２８は、無線端末３０が予想されるＣＱＩフォーマットを使用すると想定してもよく、それ故、基地局２８は、無線端末３０がどのＣＱＩフォーマットを使用しているかを検出しようとする必要がない。好ましくは、基地局２８は、無線端末３０から確認応答を実際に受信する場合、（確認応答が無線端末３０から基地局２８への途中で紛失する確率があるので）ＣＱＩフォーマット検出だけをスキップすべきである。
【０１０７】
図１４および図１５に関連して記述する命令確認応答の態様は、前の実施形態例えば前の図の実施形態および実施モード、あるいは本明細書に包含される他の実施形態または実施モードの１つ以上のどれに関連して利用されてもよい。
【０１０８】
連続パケット接続性（ＣＰＣ）の状況では、従来のＨＳ−ＳＣＣＨ命令は、ＷＣＤＭＡにおける不連続受信（ＤＲＸ）および／または不連続送信（ＤＴＸ）の起動（停止）に関して定められている。本明細書に開示の技術の命令生成部５０は、ＨＳ−ＳＣＣＨ命令を、ＭＩＭＯ対応無線端末に基地局と無線端末との間のＣＱＩ通信を変更するように指示するためにも有利に用いる、例えば一例である実施形態および実施においては、その無線端末がＭＩＭＯモードで動作するように現在設定されていない場合でさえ、ＭＩＭＯタイプ（例えば、タイプＡまたはタイプＢ）チャネル品質表示（ＣＱＩ）レポートを送信させるために用いる。
【０１０９】
いくつかの例である実施形態および実施モードでは、無線端末がＨＳ−ＳＣＣＨメッセージの第１の部分に所定のビットシーケンスまたは同種のものを検出すると、無線端末は、ＨＳ−ＳＣＣＨメッセージの第２の部分を（ＨＡＲＱ関連情報などのデータ送信のための情報でなく）ＣＱＩレポート情報として解釈する。ＨＳ−ＳＣＣＨ制御チャネルの第２の部分は、無線端末が「通常」のチャネル品質表示（ＣＱＩ）レポートをＭＩＭＯチャネル品質表示（ＣＱＩ）レポートで置換すべきと指示するビットシーケンスを有し得る。多くの予備の組み合わせがＨＳ−ＳＣＣＨの第２の部分で提供されるので、タイプＡまたはタイプＢのＣＱＩレポートを表すビットシーケンスが、１つ以上のそれらの予備の組み合わせに対して規定され、それらに含められてもよい。
【０１１０】
本明細書に記載の技術は、システム性能を向上するＭＩＭＯ  ＣＱＩ報告を、無線端末においていつ作動させるのが適切かつ望ましいかを検出して、アップリンク（ＵＬ）およびダウンリンク（ＤＬ）のオーバヘッドシグナリングを節減する優れたやり方を提供する。無線端末にＭＩＭＯ  ＣＱＩを送信するように命令するこの能力なしでは、システムは、無線端末をＭＩＭＯモードと非ＭＩＭＯモードとの間で「むやみ」に切り替えるしかない。そのようなむやみな切り替えは、無線端末がＭＩＭＯモードだがＴＴＩ当たり１トランスポートブロックだけ（単一ストリーム）を受信する場合、不要なオーバヘッドを生じる。他方、無線端末が実際に二重ストリームを受信し得るときにＭＩＭＯモードに切り替えない場合、ＭＩＭＯの利点が失われる。
【０１１１】
上述の実施形態例の追加の利点は、割合Ｎ／Ｍが高位レイヤシグナリングで設定されるので、タイプＡとタイプＢのＣＱＩレポート間の報告割合を環境に応じて変更し得ることである。しかしながら、割合はその時の無線状態に依存するので、ネットワークが特定の瞬間の「最適」の割合を決定するのは難しいことがある。また、ネットワークからのシグナリングは、急速に変化する無線チャネル状態に追随するには速さが不十分なことがある。ＨＳ−ＳＣＣＨ命令を用いる測定電力オフセットΓの変更は、高位レイヤシグナリングで測定電力オフセットΓを変更するよりはるかに速い。そうするのは、測定電力オフセットΓが迅速に変更され得る場合、より正確なＣＱＩレポートが送信され得るからである。
【０１１２】
一実施例では、ＲＡＮとＵＥとの間の無線通信がＷＣＤＭＡに基づいており、ＨＳ−ＤＳＣＨがＵＥにデータを送信するために使用され、チャネル品質レポートがチャネル品質インジケータ（ＣＱＩ）を含み、無線制御チャネルがＨＳ−ＳＣＣＨであり、メッセージが既存の制御メッセージである。既存の制御メッセージは、ＨＳ−ＳＣＣＨ命令であり、このＨＳ−ＳＣＣＨ命令は、ＣＱＩレポートを指示する第１のフィールドと、ＣＱＩを通常かそれともタイプＡかそれともタイプＢにすべきかを指示する第２のフィールド有する。
【０１１３】
図１および他の図にそのようには図示されていないが、無線アクセスネットワーク（ＲＡＮ）が、他の基地局と、それぞれの管轄下にある１つ以上の基地局を制御する１つ以上の無線ネットワーク制御装置（ＲＮＣ）ノードとを備えてもよいことが理解されるであろう。また、無線アクセスネットワークは、通常１つ以上の図示されていない外部（例えば、コア）ネットワークに接続されている。外部ネットワークは、例えば、公衆交換電話網（ＰＳＴＮ）および／またはサービス総合デジタル網（ＩＳＤＮ）などのコネクション型ネットワーク、および／または（例えば）インターネットなどのコネクションレス型外部コアネットワークを備えてもよい。１つ以上の外部ネットワークは、例えば移動通信交換局（ＭＳＣ）ノードおよびＧＧＳＮ（Gateway GPRS(General Packet Radio Service) Support Node）とともに働くＳＧＳＮ（Serving GPRS Support Node）などの図示されていないサービングノードを有する。
【０１１４】
本明細書に図示および記述する基地局および無線端末の実施形態例は、他の多くの構成要素、ユニットおよび／または機能性を有してもよく、通常は有することもさらに理解されるであろう。本明細書に開示の技術に関連する情報の提供に役立つものだけを、具体的に記述および／または図示している。
【０１１５】
無線端末３０は、例えば移動端末、移動機もしくはＭＳ、ユーザ装置ユニット、ハンドセット、または遠隔ユニットなどの異なる名前で知られてもよい。各無線端末は、移動電話機、移動ラップトップコンピュータ、ページャ、携帯情報端末もしくは他の類似の移動デバイス、ＳＩＰ電話機、マイクロソフト社のネットミーティング、プッシュ・ツー・トーク・クライアント等のようなリアルタイムアプリケーションを備える固定コンピュータおよびラップトップコンピュータなどの無数のデバイスまたは機器のどれでもよい。好ましくは、少なくとも無線アクセスネットワーク（ＲＡＮ）のＵＴＲＡＮ実施に関しては、無線アクセスは、個別の無線チャネルがＣＤＭＡ拡散符号を用いて割り当てられる広帯域符号分割多元接続（ＷＣＤＭＡ）に基づく。もちろん、他のアクセス方法が利用されてもよい。
【０１１６】
高速ダウンリンク共用チャネル制御装置４０および／またはダウンリンクユーザデータハンドラ４４、制御信号生成部４６、アップリンク信号プロセッサ４８、ＭＩＭＯ  ＯＮ／ＯＦＦスイッチ４９およびＭＩＭＯ関連命令生成部５０などのその構成機能または構成ユニットの１つ以上は、制御装置およびプロセッサという用語が本明細書では拡張的に説明されているので、制御装置またはプロセッサで実現されてもよい。同様に、端末の高速ダウンリンク共用チャネル制御装置７０および／またはダウンリンクユーザデータハンドラ７４、ダウンリンク制御信号プロセッサ７６、およびアップリンク信号生成部７８などのその構成機能または構成ユニットの１つ以上は、制御装置およびプロセッサという用語が本明細書では拡張的に説明されているので、制御装置またはプロセッサで実現されてもよい。
【０１１７】
これまでの説明は多くの特定性を有するが、これらは、本発明の範囲を限定すると解釈されるべきでなく、現在好ましい実施形態のいくつかの例証を提供しているにすぎないと解釈されるべきである。本発明の範囲は、当業者には明らかになるかもしれない他の実施形態を完全に包含し、不当に限定されるものではない。単数形での要素への言及は、明示的にそのように述べられていない限り「唯一」を意味する意図はなく、むしろ「１つ以上」を意味する意図である。当業者に公知の上述の好ましい実施形態の要素のすべての構造上、化学上および機能上の均等物は、本明細書に明示的に引用される。さらに、デバイスまたは方法が、本明細書に包含される本発明が解決を目指しているありとあらゆる課題に取り組む必要はない。
【図１】
2011512719.tif 000003
【図２】
2011512719.tif 000004
【図３】
2011512719.tif 000005
【図４】
2011512719.tif 000006
【図５Ａ】
2011512719.tif 000007
【図５Ｂ】
2011512719.tif 000008
【図６Ａ】
2011512719.tif 000009
【図６Ｂ】
2011512719.tif 000010
【図７Ａ】
2011512719.tif 000011
【図７Ｂ】
2011512719.tif 000012
【図８Ａ】
2011512719.tif 000013
【図８Ｂ】
2011512719.tif 000014
【図９Ａ】
2011512719.tif 000015
【図９Ｂ】
2011512719.tif 000016
【図１０Ａ】
2011512719.tif 000017
【図１０Ｂ】
2011512719.tif 000018
【図１１Ａ】
2011512719.tif 000019
【図１１Ｂ】
2011512719.tif 000020
【図１２Ａ】
2011512719.tif 000021
【図１２Ｂ】
2011512719.tif 000022
【図１３Ａ】
2011512719.tif 000023
【図１３Ｂ】
2011512719.tif 000024
【図１４】
2011512719.tif 000025
【図１５】
2011512719.tif 000026
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
多入力多出力（ＭＩＭＯ）能力を有し無線インタフェース（３２）を介して無線端末（３０）と通信するネットワーク・ノードであって、該ネットワーク・ノード（２８）は、高速ダウンリンク共用チャネルの制御シグナリングに含めるＭＩＭＯ関連命令（９０）を生成するように構成され、該ＭＩＭＯ関連命令（９０）は、前記無線端末（３０）のＭＩＭＯ能力を考慮して該無線端末（３０）と前記ネットワーク・ノード（２８）との間のチャネル品質表示（ＣＱＩ）通信を修正するように構成されることを特徴とするネットワーク・ノード。
【請求項２】
前記無線インタフェース（３２）を介して前記無線端末（３０）にＭＩＭＯ送信または非ＭＩＭＯ送信を必要に応じて提供するように構成されるトランシーバ（３８）と、
高速ダウンリンク共用チャネルの前記無線インタフェース（３２）を介したユーザデータおよび制御シグナリングの送信をスケジュールするように構成される高速ダウンリンク共用チャネル制御装置（４０）と、
前記制御シグナリングに含める前記ＭＩＭＯ関連命令（９０）を生成するように構成される制御信号生成部（５０）と、
を更に含むことを特徴とする請求項１に記載のネットワーク・ノード。
【請求項３】
前記ＭＩＭＯ関連命令（９０）は、前記無線端末（３０）がＭＩＭＯモードで動作していないとき、該無線端末（３０）にＭＩＭＯチャネル品質表示（ＣＱＩ）の提供を要求するように構成されることを特徴とする請求項１又は２に記載のネットワーク・ノード。
【請求項４】
前記ＭＩＭＯ関連命令（９０）は、前記無線端末（３０）がＭＩＭＯモードで動作していないとき、該無線端末（３０）にＭＩＭＯタイプＡまたはＭＩＭＯタイプＢのチャネル品質表示（ＣＱＩ）の提供を要求するように構成されることを特徴とする請求項３に記載のネットワーク・ノード。
【請求項５】
前記ＭＩＭＯ関連命令（９０）は、前記無線端末（３０）がＭＩＭＯモードで動作していないとき、該無線端末（３０）に単一のＭＩＭＯチャネル品質表示（ＣＱＩ）の提供を要求するように構成されることを特徴とする請求項３に記載のネットワーク・ノード。
【請求項６】
前記ＭＩＭＯ関連命令（９０）は、前記無線端末（３０）がＭＩＭＯモードで動作していないとき、該無線端末（３０）に該無線端末が以前にＭＩＭＯモードで動作していたときに提供したパターンと同一の、複数のＭＩＭＯタイプＡ及びＭＩＭＯタイプＢのチャネル品質表示（ＣＱＩ）のパターンの提供を要求するように構成されることを特徴とする請求項３に記載のネットワーク・ノード。
【請求項７】
前記ＭＩＭＯ関連命令（９０）は、前記無線端末（３０）がＭＩＭＯモードで動作していないとき、該無線端末（３０）に複数のＭＩＭＯタイプＡ及びＭＩＭＯタイプＢのチャネル品質表示の特定の比の提供を要求するように構成されることを特徴とする請求項３に記載のネットワーク・ノード。
【請求項８】
前記ＭＩＭＯ関連命令（９０）は、前記無線端末（３０）がＭＩＭＯモードで動作していないとき、複数のＭＩＭＯタイプＡ及びＭＩＭＯタイプＢのチャネル品質表示（ＣＱＩ）のパターンを規定するように構成されることを特徴とする請求項３に記載のネットワーク・ノード。
【請求項９】
前記ＭＩＭＯ関連命令（９０）は、前記無線端末（３０）がＭＩＭＯモードで動作していないとき、該無線端末（３０）に複数の通常チャネル品質表示及び複数のＭＩＭＯチャネル品質表示の混合の提供を要求するように構成されることを特徴とする請求項３に記載のネットワーク・ノード。
【請求項１０】
前記ＭＩＭＯ関連命令（９０）は、前記無線端末（３０）がＭＩＭＯモードで動作していないとき、該無線端末（３０）に非ＭＩＭＯチャネル品質表示（ＣＱＩ）のＭＩＭＯチャネル品質表示（ＣＱＩ）での置換を要求するように構成されることを特徴とする請求項３に記載のネットワーク・ノード。
【請求項１１】
前記ＭＩＭＯ関連命令（９０）は、ＭＩＭＯチャネル品質表示（ＣＱＩ）を決定するときに前記無線端末（３０）により使用される測定電力オフセット値を指定することを特徴とする請求項１又は２に記載のネットワーク・ノード。
【請求項１２】
前記ＭＩＭＯ関連命令（９０）は、
（１）以前の測定電力オフセット値を置換する新規の測定電力オフセット値
（２）高位レイヤでシグナリングされた測定電力オフセット変更の修正に使用される測定電力オフセット変更値
の一方を指定することを特徴とする請求項１１に記載のネットワーク・ノード。
【請求項１３】
無線インタフェース（３２）を介してネットワーク・ノード（２８）と通信する無線端末であって、該無線端末は、
高速ダウンリンク共用チャネルの制御シグナリングに含まれるＭＩＭＯ関連命令（９０）を、前記無線端末（３０）のＭＩＭＯ能力を考慮して該無線端末（３０）と前記ネットワーク・ノード（２８）との間のチャネル品質表示（ＣＱＩ）通信の修正を要求していると解釈するように構成され、
前記ＭＩＭＯ関連命令（９０）に従って、ＭＩＭＯチャネル品質表示（ＣＱＩ）を報告するように構成される
ことを特徴とする無線端末。
【請求項１４】
前記無線インタフェース（３２）を介した前記ネットワーク・ノード（２８）からのＭＩＭＯ受信または非ＭＩＭＯ受信を必要に応じて提供するように構成されるトランシーバ（６８）と、
高速ダウンリンク共用チャネルの制御シグナリングに含まれる前記ＭＩＭＯ関連命令（９０）を解釈するように構成される高速ダウンリンク共用チャネル制御装置（７０）と、
前記ＭＩＭＯ関連命令（９０）に従って、前記ＭＩＭＯチャネル品質表示（ＣＱＩ）を報告するように構成されるチャネル品質表示（ＣＱＩ）報告部（８０）と、
を更に含むことを特徴とする請求項１３に記載の無線端末。
【請求項１５】
前記無線端末（３０）の前記高速ダウンリンク共用チャネル制御装置（７０）は、前記無線端末（３０）がＭＩＭＯモードで動作していないとき、前記ＭＩＭＯ関連命令（９０）を、該無線端末（３０）にＭＩＭＯチャネル品質表示（ＣＱＩ）の提供を要求していると解釈するように構成され、前記チャネル品質表示（ＣＱＩ）報告部は、前記無線端末（３０）がＭＩＭＯモードで動作していないとき、それに応じて、ＭＩＭＯチャネル品質表示（ＣＱＩ）を提供するように構成されることを特徴とする請求項１３に記載の無線端末。
【請求項１６】
前記無線端末（３０）の前記高速ダウンリンク共用チャネル制御装置（７０）は、前記無線端末（３０）で前記ＭＩＭＯ関連命令（９０）が受信されたとき、前記無線端末（３０）がチャネル品質表示（ＣＱＩ）にどのＣＱＩフォーマットを使用しているかを検出することなく前記無線端末（３０）から受信した前記チャネル品質表示（ＣＱＩ）を前記ネットワーク・ノード（２８）が自動的に処理可能にするように構成される肯定応答信号を前記ネットワーク・ノード（２８）に提供するように更に構成されることを特徴とする請求項１５に記載の無線端末。
【請求項１７】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）にＭＩＭＯタイプＡまたはＭＩＭＯタイプＢのチャネル品質表示（ＣＱＩ）の提供を要求していると解釈するように構成され、前記チャネル品質表示（ＣＱＩ）報告部は、前記無線端末（３０）がＭＩＭＯモードで動作していないとき、それに応じて、ＭＩＭＯタイプＡまたはＭＩＭＯタイプＢの何れかのチャネル品質表示（ＣＱＩ）を提供するように構成されることを特徴とする請求項１５に記載の無線端末。
【請求項１８】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に単一のＭＩＭＯチャネル品質表示（ＣＱＩ）の提供を要求していると解釈するように構成され、前記チャネル品質表示（ＣＱＩ）報告部は、前記無線端末（３０）がＭＩＭＯモードで動作していないとき、それに応じて、単一のＭＩＭＯチャネル品質表示（ＣＱＩ）を提供するように構成されることを特徴とする請求項１５に記載の無線端末。
【請求項１９】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に該無線端末が以前にＭＩＭＯモードで動作していたときに提供したパターンと同一の、複数のＭＩＭＯタイプＡ及びＭＩＭＯタイプＢのチャネル品質表示（ＣＱＩ）のパターンの提供を要求していると解釈するように構成され、前記チャネル品質表示（ＣＱＩ）報告部は、前記無線端末（３０）がＭＩＭＯモードで動作していないとき、それに応じて、複数のＭＩＭＯタイプＡ及びＭＩＭＯタイプＢのチャネル品質表示（ＣＱＩ）の同一のパターンを提供するように構成されることを特徴とする請求項１５に記載の無線端末。
【請求項２０】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に複数のＭＩＭＯタイプＡ及びＭＩＭＯタイプＢのチャネル品質表示の特定の比の提供を要求していると解釈するように構成されることを特徴とする請求項１５に記載の無線端末。
【請求項２１】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に複数のＭＩＭＯタイプＡ及びＭＩＭＯタイプＢのチャネル品質表示（ＣＱＩ）の規定のパターンの提供を要求していると解釈するように構成され、前記チャネル品質表示（ＣＱＩ）報告部は、前記無線端末（３０）がＭＩＭＯモードで動作していないとき、それに応じて、複数のＭＩＭＯタイプＡ及びＭＩＭＯタイプＢのチャネル品質表示（ＣＱＩ）の規定のパターンを提供するように構成されることを特徴とする請求項１５に記載の無線端末。
【請求項２２】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に複数の通常チャネル品質表示及び複数のＭＩＭＯチャネル品質表示の混合の提供を要求していると解釈するように構成されることを特徴とする請求項１５に記載の無線端末。
【請求項２３】
前記無線端末の前記高速ダウンリンク共用チャネル制御装置（７０）は、前記無線端末（３０）がＭＩＭＯモードで動作していないとき、前記ＭＩＭＯ関連命令（９０）を、該無線端末（３０）に非ＭＩＭＯチャネル品質表示（ＣＱＩ）のＭＩＭＯチャネル品質表示（ＣＱＩ）での置換を要求していると解釈するように構成され、前記チャネル品質表示（ＣＱＩ）報告部は、前記無線端末（３０）がＭＩＭＯモードで動作していないとき、それに応じて、非ＭＩＭＯチャネル品質表示（ＣＱＩ）をＭＩＭＯチャネル品質表示（ＣＱＩ）で置換するように構成されることを特徴とする請求項１５に記載の無線端末。
【請求項２４】
前記無線端末の前記高速ダウンリンク共用チャネル制御装置（７０）は、前記ＭＩＭＯ関連命令（９０）を、ＭＩＭＯチャネル品質表示（ＣＱＩ）を決定するときに前記無線端末（３０）により使用される測定電力オフセット値の包含を要求していると解釈するように構成され、前記チャネル品質表示（ＣＱＩ）報告部は、それに応じて、ＭＩＭＯチャネル品質表示（ＣＱＩ）を決定するときに前記無線端末（３０）により使用される前記測定電力オフセット値を使用するように構成されることを特徴とする請求項１４に記載の無線端末。
【請求項２５】
前記無線端末の前記高速ダウンリンク共用チャネル制御装置（７０）は、前記ＭＩＭＯ関連命令（９０）を、
（１）以前の測定電力オフセット値を置換する新規の測定電力オフセット値
（２）高位レイヤでシグナリングされた測定電力オフセット変更の修正に使用される測定電力オフセット変更値
の一方を指定していると解釈するように構成されることを特徴とする請求項２４に記載の無線端末。
【請求項２６】
無線インタフェース（３２）を介して無線端末と通信するネットワーク・ノード（２８）を含む通信ネットワークで使用される方法であって、該ネットワーク・ノード（２８）および該無線端末（３０）の双方は、多入力多出力（ＭＩＭＯ）能力を有し、該方法は、
前記ネットワーク・ノード（２８）から前記無線端末（３０）への高速ダウンリンク共用チャネルの制御シグナリングに含めるＭＩＭＯ関連命令（９０）を生成するステップであって、該ＭＩＭＯ関連命令（９０）は、前記無線端末（３０）のＭＩＭＯ能力を考慮して該無線端末（３０）と前記ネットワーク・ノード（２８）との間のチャネル品質表示（ＣＱＩ）通信を修正するように構成される、生成するステップと、
前記命令に従って、前記無線端末（３０）から前記ネットワーク・ノード（２８）へチャネル品質表示（ＣＱＩ）レポートを提供するステップと、
を含むことを特徴とする方法。
【請求項２７】
無線インタフェース（３２）を介して無線端末と通信するネットワーク・ノード（２８）を動作させる方法であって、該ネットワーク・ノード（２８）および該無線端末（３０）の双方は、多入力多出力（ＭＩＭＯ）能力を有し、該方法は、
前記ネットワーク・ノード（２８）から前記無線端末（３０）への高速ダウンリンク共用チャネルの制御シグナリングに含めるＭＩＭＯ関連命令（９０）を生成するステップであって、該ＭＩＭＯ関連命令（９０）は、前記無線端末（３０）のＭＩＭＯ能力を考慮して該無線端末（３０）と前記ネットワーク・ノード（２８）との間のチャネル品質表示（ＣＱＩ）通信を修正するように構成される、生成するステップと、
前記ＭＩＭＯ関連命令（９０）を前記無線インタフェース（３２）を介して前記無線端末に送信するステップと、
を含むことを特徴とする方法。
【請求項２８】
無線インタフェース（３２）を介してネットワーク・ノード（２８）と通信する無線端末（３２）を動作させる方法であって、該ネットワーク・ノード（２８）および該無線端末（３０）の双方は、多入力多出力（ＭＩＭＯ）能力を有し、該方法は、
前記ネットワーク・ノード（２８）からの高速ダウンリンク共用チャネルの制御シグナリングに含まれるＭＩＭＯ関連命令（９０）を受信し、該ＭＩＭＯ関連命令（９０）を、前記無線端末（３０）のＭＩＭＯ能力を考慮して該無線端末（３０）と前記ネットワーク・ノード（２８）との間のチャネル品質表示（ＣＱＩ）通信を修正するように構成されていると解釈するステップと、
前記命令に従って、前記無線端末（３０）から前記ネットワーク・ノード（２８）へチャネル品質表示（ＣＱＩ）レポートを提供するステップと、
を含むことを特徴とする方法。
【請求項２９】
前記ＭＩＭＯ関連命令（９０）は、前記無線端末（３０）がＭＩＭＯモードで動作していないとき、該無線端末（３０）にＭＩＭＯチャネル品質表示（ＣＱＩ）の提供を要求することを特徴とする請求項２６乃至２８の何れか一項に記載の方法。
【請求項３０】
前記無線端末（３０）が、前記ＭＩＭＯ関連命令（９０）に対する肯定応答信号を前記ネットワーク・ノード（２８）に送信するステップと、
前記ネットワーク・ノード（２８）が、前記無線端末（３０）がチャネル品質表示（ＣＱＩ）にどのＣＱＩフォーマットを使用しているかを検出することなく前記無線端末（３０）から受信した前記チャネル品質表示（ＣＱＩ）を自動的に処理するステップと、
を更に含むことを特徴とする請求項２９に記載の方法。
【請求項３１】
前記ＭＩＭＯ関連命令（９０）は、前記無線端末（３０）がＭＩＭＯモードで動作していないとき、該無線端末（３０）にＭＩＭＯタイプＡまたはＭＩＭＯタイプＢのチャネル品質表示（ＣＱＩ）の提供を要求するように構成されることを特徴とする請求項２９に記載の方法。
【請求項３２】
前記ＭＩＭＯ関連命令（９０）は、前記無線端末（３０）がＭＩＭＯモードで動作していないとき、該無線端末（３０）に単一のＭＩＭＯチャネル品質表示（ＣＱＩ）の提供を要求するように構成されることを特徴とする請求項２９に記載の方法。
【請求項３３】
前記ＭＩＭＯ関連命令（９０）は、前記無線端末（３０）がＭＩＭＯモードで動作していないとき、該無線端末（３０）に該無線端末が以前にＭＩＭＯモードで動作していたときに提供したパターンと同一の、複数のＭＩＭＯタイプＡ及びＭＩＭＯタイプＢのチャネル品質表示（ＣＱＩ）のパターンの提供を要求するように構成されることを特徴とする請求項２９に記載の方法。
【請求項３４】
前記ＭＩＭＯ関連命令（９０）は、前記無線端末（３０）がＭＩＭＯモードで動作していないとき、該無線端末（３０）に複数のＭＩＭＯタイプＡ及びＭＩＭＯタイプＢのチャネル品質表示の特定の比の提供を要求するように構成されることを特徴とする請求項２９に記載の方法。
【請求項３５】
前記ＭＩＭＯ関連命令（９０）は、前記無線端末（３０）がＭＩＭＯモードで動作していないとき、複数のＭＩＭＯタイプＡ及びＭＩＭＯタイプＢのチャネル品質表示（ＣＱＩ）のパターンを規定するように構成されることを特徴とする請求項２９に記載の方法。
【請求項３６】
前記ＭＩＭＯ関連命令（９０）は、前記無線端末（３０）がＭＩＭＯモードで動作していないとき、該無線端末（３０）に複数の通常チャネル品質表示及び複数のＭＩＭＯチャネル品質表示の混合の提供を要求するように構成されることを特徴とする請求項２９に記載の方法。
【請求項３７】
前記ＭＩＭＯ関連命令（９０）は、前記無線端末（３０）がＭＩＭＯモードで動作していないとき、該無線端末（３０）に非ＭＩＭＯチャネル品質表示（ＣＱＩ）のＭＩＭＯチャネル品質表示（ＣＱＩ）での置換を要求するように構成されることを特徴とする請求項２９に記載の方法。
【請求項３８】
前記ＭＩＭＯ関連命令（９０）は、ＭＩＭＯチャネル品質表示（ＣＱＩ）を決定するときに前記無線端末（３０）により使用される測定電力オフセット値を指定するように構成されることを特徴とする請求項２６乃至２８の何れか一項に記載の方法。
【請求項３９】
前記ＭＩＭＯ関連命令（９０）は、
（１）以前の測定電力オフセット値を置換する新規の測定電力オフセット値
（２）高位レイヤでシグナリングされた測定電力オフセット変更の修正に使用される測定電力オフセット変更値
の一方を指定するように構成されることを特徴とする請求項３８に記載の方法。
【国際調査報告】
2011512719.tif 000027
2011512719.tif 000028